(57)【要約】【課題】障害釘の振動に依存することなく、簡単な構成にて、少なくとも１つの障害釘に対する少なくとも１つの遊技球の衝突経路を良好に表示するようにした遊技盤を提供する。【解決手段】支持板７０は、スタートチャッカー４０ｃの左側にて遊技板２０に形成した矩形状の左側組み付け穴部２１に嵌装支持されている。一連の障害釘５１ａ〜５１ｅは、支持板７０の幅方向中央部にその長手方向に沿い、所定の間隔をおいて板厚方向に打ち込まれている。導電膜８０は、一連の障害釘５１ａ〜５１ｅの各径方向一側に沿い支持板７０の表面に帯状に設けられている。各一連の発光ダイオード９０ａ〜９０ｅ、１００ａ〜１００ｅは、支持板７０の両凹所７２ａ、７２ｂ内に挿通固定されている。少なくとも１つの遊技球が一連の障害釘５１ａ〜５１ｅのうちの少なくとも１つの障害釘に衝突して導電膜８０と接触したとき、当該少なくとも１つの衝突障害釘に対応する少なくとも１つの両発光ダイオードが発光する。【選択図】図３
2009089828.tif 000002
【特許請求の範囲】
【請求項１】
電気絶縁性遊技板と、
この遊技板の表面に分散して打ち込まれる多数の障害釘と、
１つ或いは複数の遊技球が、前記多数の障害釘のうち所定の並び方向に並ぶ一連の障害釘の１つ或いは複数の障害釘と衝突したとき、前記１つ或いは複数の遊技球を介し前記１つ或いは複数の障害釘と電気的に接続するように前記一連の障害釘の前記所定の並び方向に沿い前記遊技板の表面に設けられる単一の導電膜と、
前記単一の導電膜の一部から前記遊技板を通りその裏面側に延出する単一の共通配線と、
前記遊技板に設けられて前記一連の障害釘に対応する一連の表示部位を有する表示手段と、
直流電源と、
前記一連の障害釘と前記直流電源との間に接続されて前記単一の導電膜の前記１つ或いは複数の衝突障害釘との電気的接続に伴い当該１つ或いは複数の衝突障害釘に対応する抵抗値を互いに異なる目標抵抗値として生成する抵抗手段と、共通抵抗とを備えて、前記目標抵抗値を生成してなる前記抵抗手段、前記１つ或いは複数の衝突障害釘、前記１つ或いは複数の遊技球、前記単一の導電膜、前記共通抵抗及び前記直流電源でもって閉回路を構成することで、前記目標抵抗値を生成してなる前記抵抗手段及び前記共通抵抗により前記直流電源の直流電圧を分圧し前記単一の導電膜から分圧電圧を発生する分圧手段と、
この分圧手段から前記単一の共通配線を介し前記分圧電圧を入力されて保持電圧として保持する電圧保持手段と、
１つ或いは複数の遊技球の前記一連の障害釘との間で生ずると予測される一連の衝突態様に対応して一連の目標電圧を順次同一の電圧方向へ変化するように順次決定する目標電圧決定手段と、
この目標電圧決定手段が目標電圧を決定する毎に当該目標電圧に対応する照合電圧を発生する照合電圧発生手段と、
この照合電圧発生手段が照合電圧を発生する毎に、当該照合電圧を前記電圧保持手段に保持された保持電圧と比較する比較手段と、
この比較手段から順次発生する比較出力のうちの一比較出力が上記保持電圧に対応したとき前記一連の目標電圧のうち前記一比較出力に対応する目標電圧に基づき前記１つ或いは複数の衝突障害釘に対応する１つ或いは複数の表示部位を決定する表示部位決定手段と、
この表示部位決定手段により決定された前記１つ或いは複数の表示部位を表示作動させるように前記表示手段を駆動制御する駆動制御手段とを備える遊技盤。
【請求項２】
前記分圧手段は、
前記一連の障害釘に接続される一連の単独抵抗を有し、当該一連の単独抵抗のうち前記１つ或いは複数の衝突障害釘に接続してなる１つ或いは複数の単独抵抗でもって、前記一連の衝突態様の各々毎に当該衝突態様に対応した前記目標抵抗値を有する単独抵抗回路或いは並列抵抗回路を形成するように、前記抵抗手段を構成して、
前記１つ或いは複数の衝突障害釘との前記単一の導電膜の電気的接続に伴い、前記単独抵抗回路或いは並列抵抗回路、前記１つ或いは複数の衝突障害釘、前記１つ或いは複数の遊技球、前記単一の導電膜、前記共通抵抗及び前記直流電源でもって閉回路を構成することで、前記単独抵抗回路或いは並列抵抗回路と前記共通抵抗とでもって前記直流電源の直流電圧を分圧し前記単一の導電膜から前記分圧電圧を発生することを特徴とする請求項１に記載の遊技盤。
【請求項３】
前記目標電圧決定手段は、
カウントアップ手段と、
前記一連の衝突態様の各々毎に当該衝突態様に対応して前記抵抗手段により形成される前記単独抵抗回路或いは並列抵抗回路の前記目標抵抗値と所定カウントアップ値との一連の対応関係を表す第１データに基づき、前記カウントアップ手段から順次発生するカウントアップ値が前記所定カウントアップ値のいずれかに達する毎にこのいずれかの所定カウントアップ値に対応する目標抵抗値を順次決定する目標抵抗値決定手段とを備えて、
前記目標電圧とこれに対応する前記目標抵抗値との一連の対応関係を表す第２データから、前記目標抵抗値決定手段による目標抵抗値の決定毎に、当該目標抵抗値に基づき目標電圧を決定することを特徴とする請求項２に記載の遊技盤。
【請求項４】
前記目標抵抗値決定手段は、
前記単独抵抗回路或いは並列抵抗回路の前記目標抵抗値毎に、この目標抵抗値に代えて、当該目標抵抗値の誤差範囲を特定してなる一対の最小抵抗値及び最大抵抗値を前記所定カウントアップ値に対応させて前記第１データとして、この第１データに基づき、前記カウントアップ手段から順次発生するカウントアップ値が前記所定カウントアップ値のいずれかに達する毎にこのいずれかの所定カウントアップ値に対応する一対の最小抵抗値及び最大抵抗値を前記目標抵抗値に代えて順次決定し、
前記目標電圧決定手段は、前記一連の目標電圧に代えて、一連の目標電圧の各々の誤差範囲を特定する一対の最小電圧及び最大電圧に、前記各一対の最小抵抗値及び最大抵抗値を対応させて、前記第２データとし、この第２データから、前記一対の最小抵抗値及び最大抵抗値毎に、当該一対の最小抵抗値及び最大抵抗値に基づき一対の最小電圧及び最大電圧を前記目標電圧に代えて決定し、
前記照合電圧発生手段は、前記目標電圧決定手段が前記一対の最小電圧及び最大電圧を決定する毎に、当該一対の最小電圧及び最大電圧に対応する一対の最小照合電圧及び最大照合電圧を前記照合電圧に代えて発生し、
前記比較手段は、前記照合電圧発生手段が前記一対の最小照合電圧及び最大照合電圧を発生する毎に当該一対の最小照合電圧及び最大照合電圧を前記電圧保持手段に保持された保持電圧と比較するウインドウコンパレータであり、
このウインドウコンパレータから前記比較出力として順次発生する両比較信号のうちの一両比較信号が前記保持電圧に対応したとき、前記表示部位決定手段は、前記一連の目標電圧の各々の誤差範囲を特定する一対の最小電圧及び最大電圧のうち前記一両比較信号に対応する一対の最小電圧及び最大電圧に基づき前記１つ或いは複数の衝突障害釘に対応する１つ或いは複数の表示部位を決定することを特徴とする請求項３に記載の遊技盤。
【発明の詳細な説明】
【技術分野】
【０００１】
本発明は、パチンコ遊技機、アレンジボール遊技機または雀球遊技機等の各種の遊技機において球衝突経路を表示するに適した遊技盤に関する。
【背景技術】
【０００２】
この種の遊技盤としては、下記特許文献１に記載のパチンコ遊技機に採用してなる遊技盤が提案されている。この遊技盤においては、通電素材からなる多数の障害釘が、その各首下部にて、当該遊技盤に対しその表面から打ち込まれている。また、光ファイバー、リング状の通電板、発光体、通電コード及び通電電源部が、上述の多数の障害釘に対して、障害釘毎に設けられている。
【０００３】
そこで、上述の多数の障害釘のうちの一障害釘を例にとり、この一障害釘に対する光ファイバー、リング状の通電板、発光体、通電コード及び通電電源部の構成について説明する。
【０００４】
光ファイバーは、上記一障害釘に挿通されており、この光ファイバーは、その先端部にて、上記一障害釘の先端発光部に位置している。また、当該光ファイバーは、その後端部を、上記一障害釘の首下部から遊技盤を通りその裏面側に露出させて、遊技盤の裏面に設けた発光体に指向させている。また、リング状の通電板は、上記一障害釘に対し遊技盤の表面に沿いリング状の間隙部をおくように、当該一障害釘と同心的に遊技盤の表面に設けられている。
【０００５】
発光体及び通電電源部は、遊技盤の裏側に配設されており、発光体は、その両側端子にて、上記一障害釘の首下部及び通電電源部の一側端子にそれぞれ接続されている。通電コードは、遊技盤のうち上記一障害釘の近傍部位に形成した貫通孔部にその裏面側から挿通されており、この通電コードは、通電板の一部と通電電源部の他側端子との間に接続されている。
【０００６】
従って、パチンコ球が上記一障害釘に衝突したとき、このパチンコ球が上記一障害釘と通電板との双方に同時に接触すれば、発光体が、通電電源部により通電コード、パチンコ球及び上記一障害釘を介し通電されて、発光する。これに伴い、光ファイバーが、発光体からの光を導入して、上記一障害釘の先端発光部にて、発光する。
【特許文献１】特開2000-225237号公報
【特許文献２】実開昭61-31485号公報
【発明の開示】
【発明が解決しようとする課題】
【０００７】
しかしながら、上述の遊技盤においては、光ファイバー自体は本来の光源ではないことから、発光体が、本来の光源として、上述のごとく、遊技盤の裏面側に設けられている。このため、光ファイバー及び発光体の双方が障害釘毎に必須の構成素子となり、遊技盤としての構成が複雑になるという不具合が生ずる。
【０００８】
また、上述のように光ファイバーを障害釘に挿通するためには、当該障害釘の外径が小さいにもかかわらず、障害釘毎に、その軸方向に沿い貫通孔部を形成するという困難な作業が必須となるのは勿論のこと、上述のように貫通孔部を形成した上で、光ファイバーを障害釘の貫通孔部に挿通するという面倒な作業が必須となるという不具合が発生する。
【０００９】
また、上述のごとく、パチンコ球が障害釘に衝突したときに発光体に通電するため、通電板が障害釘毎に遊技盤の表面に別々に形成され、かつ、通電コードが、障害釘毎に、遊技盤の貫通孔部に挿通するように設けられている。このことは、遊技盤としての構成をさらに複雑にするという不具合を招く。
【００１０】
これに対しては、上記特許文献２に記載のパチンコ遊技機に採用してなる遊技盤が提案されている。この遊技盤では、振動感知器、発光器及び電気回路が、上記特許文献１と同様に遊技盤に打ち込まれた多数の障害釘に対し、障害釘毎に設けられている。
【００１１】
そこで、上記特許文献１と同様に、一障害釘を例にとり、この一障害釘に対する発光器、振動感知器及び電気回路の構成について説明すると、発光器は、上記一障害釘と隣り合うように、遊技盤にその表面側から設けられている。従って、パチンコ球により衝突された一障害釘が、当該一障害釘自体ではなく、その近傍の発光器の発光でもって認識されるものの、上記特許文献１における光ファイバーやこの光ファイバーを障害釘に挿通する構成が不要となる。
【００１２】
しかしながら、上記特許文献２の遊技盤では、振動感知器が、遊技盤の裏側にて上記一障害釘の首下部に設けられて、パチンコ球の上記一障害釘への衝突による当該一障害釘の振動を感知するようになっている。
【００１３】
このため、当該遊技盤を採用したパチンコ遊技機を配設した遊技ホールで発生する色々の外乱振動が当該遊技盤の上記一障害釘に伝わると、パチンコ球の衝突による上記一障害釘の振動だけではなく、上述の外乱振動までもが、振動感知器により感知されるという不具合を招く。
【００１４】
また、電気回路は、振動感知器の感知信号を増幅して発光器を発光させるべく当該発光器に出力するようになっている。
【００１５】
しかしながら、このように、電気回路でもって、単に、振動感知器の感知信号を増幅するだけでは、当該感知信号が上述の外乱振動をも含む信号のままで電気回路により増幅されてしまう。その結果、発光器は、パチンコ球の衝突による障害釘の振動だけでなく、上述の外乱振動によっても、発光してしまい、球衝突経路の認識が良好にはなされ難いという不具合を招く。
【００１６】
そこで、本発明は、以上のようなことに対処するため、障害釘の振動に依存することなく、簡単な構成にて、少なくとも１つの障害釘に対する少なくとも１つの遊技球の衝突経路を良好に表示するようにした遊技盤を提供することを目的とする。
【課題を解決するための手段】
【００１７】
上記課題の解決にあたり、本発明に係る遊技盤は、請求項1の記載によれば、
電気絶縁性遊技板（２０、７０）と、
この遊技板の表面に分散して打ち込まれる多数の障害釘（５０、５１ａ〜５１ｅ）と、
１つ或いは複数の遊技球（Ｓ）が、多数の障害釘のうち所定の並び方向に並ぶ一連の障害釘（５１ａ〜５１ｅ）の１つ或いは複数の障害釘と衝突したとき、上記１つ或いは複数の遊技球を介し上記１つ或いは複数の障害釘と電気的に接続するように一連の障害釘の上記所定の並び方向に沿い遊技板の表面に設けられる単一の導電膜（８０）と、
単一の導電膜の一部から遊技板を通りその裏面側に延出する単一の共通配線（８０ａ）と、
遊技板に設けられて一連の障害釘に対応する一連の表示部位を有する表示手段（６０、９０ａ〜９０ｅ、１００ａ〜１００ｅ）と、
直流電源（Ｖ）と、
一連の障害釘と直流電源との間に接続されて単一の導電膜の上記１つ或いは複数の衝突障害釘との電気的接続に伴い当該１つ或いは複数の衝突障害釘に対応する抵抗値を互いに異なる目標抵抗値として生成する抵抗手段（２００ａ〜２００ｅ）と、共通抵抗（２１０）とを備えて、上記目標抵抗値を生成してなる抵抗手段、上記１つ或いは複数の衝突障害釘、上記１つ或いは複数の遊技球、単一の導電膜、共通抵抗及び直流電源でもって閉回路を構成することで、上記目標抵抗値を生成してなる抵抗手段及び共通抵抗により直流電源の直流電圧を分圧し単一の導電膜から分圧電圧を発生する分圧手段（２００）と、
この分圧手段から単一の共通配線を介し上記分圧電圧を入力されて保持電圧として保持する電圧保持手段（３００）と、
１つ或いは複数の遊技球の一連の障害釘との間で生ずると予測される一連の衝突態様に対応して一連の目標電圧を順次同一の電圧方向へ変化するように順次決定する目標電圧決定手段（８００〜８２０、９６０〜９９０、８２１、９９１、８２２、９９２）と、
この目標電圧決定手段が目標電圧を決定する毎に当該目標電圧に対応する照合電圧を発生する照合電圧発生手段（４００、４００Ａ、４００Ｂ）と、
この照合電圧発生手段が照合電圧を発生する毎に、当該照合電圧を電圧保持手段（３００）に保持された保持電圧と比較する比較手段（５００、Ｗ）と、
この比較手段から順次発生する比較出力のうちの一比較出力が上記保持電圧に対応したとき一連の目標電圧のうち上記一比較出力に対応する目標電圧に基づき上記１つ或いは複数の衝突障害釘に対応する１つ或いは複数の表示部位を決定する表示部位決定手段（９００〜９４０）と、
この表示部位決定手段により決定された上記１つ或いは複数の表示部位を表示作動させるように表示手段を駆動制御する駆動制御手段（９５０、９９３、７００ａ〜７００ｅ）とを備える。
【００１８】
これによれば、表示手段が、その各表示部位により、従来技術にて述べた光ファイバーのような余分な構成部材に依存することなく、直接、表示することとなる。しかも、表示手段は、上述のように一連の障害釘とは別体であることから、従来技術にて述べたような光ファイバーの障害釘に対する挿通する構成や作業が不要となる。
【００１９】
その結果、当該遊技盤をパチンコ遊技機等の遊技機に採用すれば、遊技機としての構成や組み立て作業が従来よりもより一層簡単になる。
【００２０】
また、上述のごとく、障害釘が遊技球の衝突により電気的に接続される導電膜が、一連の障害釘に共通となるように、単一に構成されているから、従来技術で述べたように障害釘毎に通電板を設ける構成は不要となる。これに伴い、単一の導電膜を遊技板の裏側に設けた駆動制御手段と電気的に接続する接続部材が、従来技術で述べたように障害釘毎に通電コードを設ける必要もなく、単一の共通配線のみで済む。従って、遊技盤としての構成、ひいては、遊技機としての構成が、さらに簡単になる。
【００２１】
また、遊技球の障害釘との衝突に伴う表示手段の表示部位による表示が、従来技術にて述べたような振動感知器の感知信号及びこの感知信号を増幅する電気回路とは異なり、遊技球を介する障害釘と単一の導電膜との電気的接続でもってなされる。従って、当該遊技盤を設けた遊技機が、遊技ホールに配設されたとき、表示手段は、当該遊技ホールで生ずる遊技球の障害釘との衝突以外の外乱振動とは係わりなく、遊技球の障害釘との衝突のみに応答して正しく表示し得る。その結果、遊技球の衝突経路が良好に認識され得る。
【００２２】
以上述べたことから分かるように、当該遊技盤によれば、障害釘の振動に依存することなく、簡単な構成にて、各障害釘に対する遊技球の衝突経路を、表示手段の表示部位による表示でもって、球衝突経路として良好に表示し得るという相乗的な作用効果が達成され得る。
【００２３】
また、上述のような構成の分圧手段、電圧保持手段、目標電圧決定手段、照合電圧発生手段及び表示部位決定手段を採用したので、１つの遊技球が、一連の障害釘のいずれかに衝突する場合は勿論のこと、複数の遊技球が、一連の障害釘のうちの複数の障害釘に同時に衝突する場合でも、当該１つの遊技球による球衝突経路或いは当該複数の遊技球の同時衝突による球衝突経路が良好に表示され得る。
【００２４】
また、本発明は、請求項２の記載によれば、請求項１に記載の遊技盤において、
分圧手段は、
一連の障害釘に接続される一連の単独抵抗（２００ａ〜２００ｅ）を有し、当該一連の単独抵抗のうち上記１つ或いは複数の衝突障害釘に接続してなる１つ或いは複数の単独抵抗でもって、上記一連の衝突態様の各々毎に当該衝突態様に対応した上記目標抵抗値を有する単独抵抗回路或いは並列抵抗回路を形成するように、抵抗手段を構成して、
上記１つ或いは複数の衝突障害釘との単一の導電膜の電気的接続に伴い、上記単独抵抗回路或いは並列抵抗回路、上記１つ或いは複数の衝突障害釘、上記１つ或いは複数の遊技球、単一の導電膜、共通抵抗及び直流電源でもって閉回路を構成することで、上記単独抵抗回路或いは並列抵抗回路と共通抵抗とでもって直流電源の直流電圧を分圧し単一の導電膜から上記分圧電圧を発生することを特徴とする。
【００２５】
このように抵抗手段を構成することにより、請求項１に記載の発明の作用効果がより一層具体的に達成され得る。
【００２６】
また、本発明は、請求項３の記載によれば、請求項２に記載の遊技盤において、
目標電圧決定手段は、
カウントアップ手段（８００〜８２０）と、
上記一連の衝突態様の各々毎に当該衝突態様に対応して抵抗手段により形成される上記単独抵抗回路或いは並列抵抗回路の上記目標抵抗値と所定カウントアップ値との一連の対応関係を表す第１データに基づき、カウントアップ手段から順次発生するカウントアップ値が上記所定カウントアップ値のいずれかに達する毎にこのいずれかの所定カウントアップ値に対応する目標抵抗値を順次決定する目標抵抗値決定手段（８２１、８２４）とを備えて、
上記目標電圧とこれに対応する上記目標抵抗値との一連の対応関係を表す第２データから、目標抵抗値決定手段による目標抵抗値の決定毎に、当該目標抵抗値に基づき目標電圧を決定することを特徴とする。
【００２７】
このように、目標電圧決定手段が、上述のような構成のカウントアップ手段及び目標抵抗値決定手段を有することにより、請求項２に記載の発明の作用効果がより一層具体的に達成され得る。
【００２８】
また、本発明は、請求項４の記載によれば、請求項３に記載の遊技盤において、
目標抵抗値決定手段は、
上記単独抵抗回路或いは並列抵抗回路の上記目標抵抗値毎に、この目標抵抗値に代えて、当該目標抵抗値の誤差範囲を特定してなる一対の最小抵抗値及び最大抵抗値を上記所定カウントアップ値に対応させて上記第１データとして、この第１データに基づき、カウントアップ手段から順次発生するカウントアップ値が上記所定カウントアップ値のいずれかに達する毎にこのいずれかの所定カウントアップ値に対応する一対の最小抵抗値及び最大抵抗値を前記目標抵抗値に代えて順次決定し、
目標電圧決定手段は、上記一連の目標電圧に代えて、一連の目標電圧の各々の誤差範囲を特定する一対の最小電圧及び最大電圧に、上記各一対の最小抵抗値及び最大抵抗値を対応させて、上記第２データとし、この第２データから、上記一対の最小抵抗値及び最大抵抗値毎に、当該一対の最小抵抗値及び最大抵抗値に基づき一対の最小電圧及び最大電圧を前記目標電圧に代えて決定し、
照合電圧発生手段は、目標電圧決定手段が上記一対の最小電圧及び最大電圧を決定する毎に、当該一対の最小電圧及び最大電圧に対応する一対の最小照合電圧及び最大照合電圧を上記照合電圧に代えて発生し、
比較手段は、照合電圧発生手段が上記一対の最小照合電圧及び最大照合電圧を発生する毎に当該一対の最小照合電圧及び最大照合電圧を電圧保持手段に保持された保持電圧と比較するウインドウコンパレータ（Ｗ）であり、
このウインドウコンパレータから上記比較出力として順次発生する両比較信号のうちの一両比較信号が上記保持電圧に対応したとき、表示部位決定手段は、上記一連の目標電圧の各々の誤差範囲を特定する一対の最小電圧及び最大電圧のうち上記一両比較信号に対応する一対の最小電圧及び最大電圧に基づき上記１つ或いは複数の衝突障害釘に対応する１つ或いは複数の表示部位を決定することを特徴とする。
【００２９】
これによれば、抵抗手段により生成される目標抵抗値にばらつきによる誤差があっても、これに影響されることなく、１つ或いは複数の遊技球の１つ或いは複数の障害釘との衝突態様に応じた目標抵抗値決定手段による第１データに基づく一対の最小抵抗値及び最大抵抗値の決定、目標電圧決定手段による上記第２データに基づく一対の最小電圧及び最大電圧の決定のもとに、ウインドウコンパレータの比較出力に基づき、１つの遊技球の１つの障害釘との衝突或いは複数の遊技球の複数の障害釘との同時衝突に対応する１つ或いは複数の障害釘の衝突経路を良好に表示し得る。
【００３０】
なお、上記各手段の括弧内の符号は、後述する実施形態に記載の具体的手段との対応関係を示すものである。
【発明を実施するための最良の形態】
【００３１】
以下、本発明の各実施形態を図面により説明する。
（第１実施形態）
図１は、本発明を適用してなるパチンコ遊技機の第1実施形態を示している。このパチンコ遊技機は、パチンコホール内の島に他のパチンコ遊技機とともに立設されるもので、当該パチンコ遊技機は、機枠Ｆ、遊技機本体Ｂ及び前扉Ｄを備えている。なお、機枠Ｆは、上記島において上板と下板（図示しない）との間に挟持されて支持される。また、前扉Ｄは、遊技機本体Ｂの板状本体枠Ｂａ（後述する）とともに機枠Ｆにその前後方向に開閉可能に支持されている。
【００３２】
遊技機本体Ｂは、板状本体枠Ｂａ及び遊技盤Ｂｂを備えている。遊技盤Ｂｂは、遊技板２０（図２参照）を有しており、この遊技板２０は、互いに積層した複数のベニア板に化粧板を貼り付けて構成されて、板状本体枠Ｂａの中空部に嵌装されている。なお、遊技板２０の表面、即ち上記化粧板の表面は遊技盤Ｂｂの盤面に相当する。
【００３３】
また、遊技盤Ｂｂは、図２にて示すごとく、ガイドレール３０、スルーチャッカー４０ａ、ゲート４０ｂ、スタートチャッカー４０ｃ、アタッカー４０ｄ並びに障害釘群５０を有する。
【００３４】
スルーチャッカー４０ａは、遊技板２０の中央開口部の中心の直下にて遊技盤Ｂｂの盤面に取付けられている。ゲート４０ｂは、遊技板２０の上記中央開口部の左側にて遊技盤Ｂｂの盤面に取付けられている。スタートチャッカー４０ｃは、スルーチャッカー４０ａの直下にて遊技盤Ｂｂの盤面に取付けられている。アタッカー４０ｄは、スタートチャッカー４０ｃの直下にて遊技盤Ｂｂの盤面に取付けられている。
【００３５】
障害釘群５０は、球衝突経路表示装置Ｕ（後述する）の各一連の障害釘５１ａ〜５１ｅ並びに残りの多数の障害釘５２でもって構成されている。一連の障害釘５１ａ〜５１ｅは、後述のごとく球衝突経路表示装置Ｕの支持板７０に打ち込まれている。多数の障害釘５２は、図２に示すごとく、遊技盤Ｂｂの盤面のうちガイドレール３０の内周側の領域において分散して打ち込まれている。
【００３６】
また、遊技盤Ｂｂは、図２に示すごとく、図柄表示装置６０を有しており、この図柄表示装置６０は、遊技板２０の上記中央開口部に嵌装されている。
【００３７】
また、遊技盤Ｂｂは、球衝突経路表示装置Ｕを備えており、この球衝突経路表示装置Ｕは、スタートチャッカー４０ｃの左側にて遊技板２０に設けられている。
【００３８】
当該球衝突経路表示装置Ｕは、図３にて示すごとく、矩形状の支持板７０、上述した一連の障害釘５１ａ〜５１ｅ、導電膜８０、一側及び他側の各一連の発光ダイオード９０ａ〜９０ｅ、１００ａ〜１００ｅ並びに一側及び他側の各透明カバー１１０ａ、１１０ｂを備えている。
【００３９】
支持板７０は、図４にて示すごとく、遊技板２０の矩形状の組み付け穴部２１に嵌装されており、この支持板７０は、その各前側フランジ部７１にて、各ネジ２２によって、遊技板２０の組み付け穴部２１の両端側部位にその前面側から締着支持されている。ここで、矩形状の組み付け穴部２１は、図３に示すごとく、スタートチャッカー４０ｃの左側部位近傍から左上方に向け傾斜するように、遊技板２０に貫通状に形成されている。なお、支持板７０は、電気絶縁材料（例えば、積層ベニヤ板）でもって形成されている。
【００４０】
一連の障害釘５１ａ〜５１ｅは、その各首下部にて、支持板７０の幅方向中央部にその長手方向（所定の並び方向）に沿い、所定の間隔をおいて板厚方向に打ち込まれている。なお、一連の障害釘５１ａ〜５１ｅが、図４にて例示するごとく、その各先端部にて遊技板２０の裏面側を臨むように、遊技板２０のうち各障害釘５１ａ〜５１ｅの先端部よりも裏面側部位は、貫通状に形成されている。
【００４１】
導電膜８０は、図３にて示すごとく、一連の障害釘５１ａ〜５１ｅの各径方向一側（上記所定の並び方向の一側）に沿い支持板７０の表面に所定の幅でもって帯状に設けられている。この導電膜８０は、その幅方向一側縁部にて、一連の障害釘５１ａ〜５１ｅとの間に、間隙を形成するように設けられている。これにより、導電膜８０は、一連の障害釘５１ａ〜５１ｅから電気的に絶縁される。また、導電膜８０の幅は、例えば、１つの遊技球Ｓを、障害釘５１ａ〜５１ｅのいずれかと導電膜８０との双方に同時に接触させるように選定されている。なお、導電膜８０の表面は、遊技盤Ｂｂの盤面と同一平面内にある。
【００４２】
一側の一連の発光ダイオード９０ａ〜９０ｅは、支持板７０にその表面側から形成した一側凹所７２ａ内にてその底壁に挿通固定されており、当該一連の発光ダイオード９０ａ〜９０ｅの各発光部９１ａ〜９１ｅは一側凹所７２ａ内に露出している。また、他側の一連の発光ダイオード１００ａ〜１００ｅは、支持板７０にその表面側から形成した他側凹所７２ｂ内にて、その底壁に挿通固定されており、当該一連の発光ダイオード１００ａ〜１００ｅの各発光部１０１ａ〜１０１ｅは他側凹所７２ｂ内に露出している。
【００４３】
ここで、一連の発光ダイオード１００ａ〜１００ｅの各々は、それぞれ、一連の障害釘５１ａ〜５１ｅの各々を介し一連の発光ダイオード９０ａ〜９０ｅの各々に対応するように位置している。一例を挙げれば、発光ダイオード１００ａは、障害釘５１ａを介し発光ダイオード９０ａに対応するように位置している。なお、一側凹所７２ａは、一連の障害釘５１ａ〜５１ｅの径方向一側（上記所定の並び方向の一側）にて導電膜８０に沿い支持板７０に形成されており、他側凹所７２ｂは、一連の障害釘５１ａ〜５１ｅの径方向他側（上記所定の並び方向の他側）にて一連の障害釘５１ａ〜５１ｅに沿い支持板７０に形成されている。
【００４４】
一側透明カバー１１０ａは、一側凹所７２ａの開口部に嵌めこまれて、一連の発光ダイオード９０ａ〜９０ｅの各発光部９１ａ〜９１ｅを覆蓋する。また、他側透明カバー１１０ｂは、他側凹所７２ｂの開口部に嵌めこまれて、一連の発光ダイオード１００ａ〜１００ｅの各発光部１０１ａ〜１０１ｅを覆蓋する。
【００４５】
次に、各一連の発光ダイオード９０ａ〜９０ｅ及び１００ａ〜１００ｅを発光駆動するための駆動制御回路Ｅの構成について、図５を参照して説明する。駆動制御回路Ｅは、直流電源Ｖに接続した分圧回路２００と、電圧保持回路３００と、デジタル−アナログ変換器４００（以下、Ｄ−Ａ変換器４００ともいう）と、コンパレータ５００と、マイクロコンピュータ６００と、一連の発光駆動回路７００ａ〜７００ｅとによって構成されている。
【００４６】
分圧回路２００は、上述の一連の障害釘５１ａ〜５１ｅ及び導電膜８０と、一連の単独抵抗２００ａ〜２００ｅと、導電膜８０に接続した共通抵抗２１０とでもって構成されている。
【００４７】
一連の単独抵抗２００ａ〜２００ｅは、その各一端にて、それぞれ、支持板７０の各貫通孔部を通り、一連の障害釘５１ａ〜５１ｅに接続されており、当該一連の単独抵抗２００ａ〜２００ｅの各他端は、直流電源Ｖの正側端子に接続されている。ここで、直流電源Ｖは、その負側端子にて接地されている。また、共通抵抗２１０は、一連の単独抵抗２００ａ〜２００ｅ及び直流電源Ｖと共に、支持板７０の裏面に配設されており、この共通抵抗２１０は、その一端にて、支持板７０の貫通孔部を通り導電膜８０の一部に接続されており、当該共通抵抗２１０の他端は、接地されている。
【００４８】
本実施形態では、各単独抵抗２００ａ、２００ｂ、２００ｃ、２００ｄ及び２００ｅの標準抵抗値を、それぞれ、Ｒａ、Ｒｂ、Ｒｃ、Ｒｄ及びＲｅで表すものとすれば、各単独抵抗２００ａ〜２００ｅの標準抵抗値は、Ra<Rb<Rc<Rd<Reとなるように設定されている。
【００４９】
このように構成した分圧回路２００において、１つの遊技球が一連の障害釘５１ａ〜５１ｅのいずれかと衝突したとき、導電膜８０の一連の障害釘５１ａ〜５１ｅのいずれかとの電気的接続のもと、一連の単独抵抗２００ａ〜２００ｅのうち上記衝突障害釘に接続した単独抵抗及び共通抵抗２１０が、直流電源Ｖの直流電圧を分圧し導電膜８０から分圧電圧として発生させる。また、複数の遊技球が一連の障害釘５１ａ〜５１ｅのうちの複数の障害釘に同時に衝突したとき、一連の単独抵抗２００ａ〜２００ｅのうち上記複数の衝突障害釘に接続した複数の単独抵抗からなる並列抵抗回路及び共通抵抗２１０が直流電源Ｖの直流電圧を分圧し導電膜８０から分圧電圧として発生する。
【００５０】
ここで、上記並列抵抗回路が、上述した複数の衝突障害釘による複数の遊技球との衝突態様によって、どのように構成されるかについて説明する。
１．上記複数の衝突障害釘が一連の障害釘５１ａ〜５１ｅのうちのいずれか２つの障害釘の場合
（１）上記いずれか２つの障害釘が、例えば、両障害釘５１ａ、５１ｂの場合には、上記並列抵抗回路は、両単独抵抗２００ａ、２００ｂの並列接続でもって構成される。従って、両単独抵抗２００ａ、２００ｂの並列接続による標準並列合成抵抗値Ｒｔ（ａｂ）は、次の式（１）により求められる。
【００５１】
Rt(ab)=(Ra・Rb)/(Ra+Rb)・・・(1)
（２）上記いずれか２つの障害釘が、障害釘５１ａと障害釘５１ｃ〜５１ｅのいずれかとの場合には、上記並列抵抗回路は、単独抵抗２００ａと各単独抵抗２００ｃ〜２００ｅのいずれかとの並列接続でもって構成される。
【００５２】
従って、上述の各単独抵抗２００ｃ〜２００ｅのいずれかが単独抵抗２００ｃ、２００ｄ或いは２００ｅである場合には、両単独抵抗２００ａ、２００ｃ、両単独抵抗２００ａ、２００ｄ或いは両単独抵抗２００ａ、２００ｅの並列接続による標準並列合成抵抗値Ｒｔ（ａｃ）、Ｒt（ａｄ）或いはＲt（ａｅ）は、次の各式（２）、（３）或いは（４）に基づき、
Rt(ac)=(Ra・Rc)/(Ra+Rc)・・・(2)、
Rt(ad)=(Ra・Rd)/(Ra+Rd)・・・(3)、或いは
Rt(ae)=(Ra・Re)/(Ra+Re)・・・(4)
として求められる。本第１実施形態では、上述したRa<Rb<Rc<Rd<Reを前提として、Rt(ab)<Rt(ac)<Rt(ad)<Rt(ae)<Raが成立するようになっている。
（３）上記複数の衝突障害釘が、障害釘５１ｂと障害釘５１ｃ〜５１ｅのいずれかとの場合には、上記並列抵抗回路は、単独抵抗２００ｂと単独抵抗２００ｃ〜２００ｅのいずれかとの並列接続でもって構成される。
【００５３】
従って、上述の各単独抵抗２００ｃ〜２００ｅのいずれかが単独抵抗２００ｃ、２００ｄ或いは２００ｅである場合には、両単独抵抗２００ｂ、２００ｃ、両単独抵抗２００ｂ、２００ｄ或いは両単独抵抗２００ｂ、２００ｅの並列接続による標準並列合成抵抗値Ｒｔ（ｂｃ）、Ｒｔ（ｂｄ）或いはＲｔ（ｂｅ）は、次の式（５）、（６）或いは（７）に基づき、
Rt(bc)=(Rb・Rc)/(Rb+Rc)・・・(5)、
Rt(bd)=(Rb・Rd)/(Rb+Rd)・・・(6)、或いは
Rt(be)=(Rb・Re)/(Rb+Re)・・・(7)
として求められる。
【００５４】
本実施形態では、上述したRa<Rb<Rc<Rd<Reを前提として、Ra<Rt(bc)<Rt(bd)<Rt(be)<Rbが成立するようになっている。
（４）上記複数の衝突障害釘が障害釘５１ｃと障害釘５１ｄ、５１ｅのいずれかとの場合には、上記並列抵抗回路は、単独抵抗２００ｃと単独抵抗２００ｄ、２００ｅのいずれかとの並列接続でもって構成される。
【００５５】
従って、上述の各単独抵抗２００ｄ、２００ｅのいずれかが単独抵抗２００ｄ或いは２００ｅである場合には、両単独抵抗２００ｃ、２００ｄ或いは両単独抵抗２００ｃ、２００ｅの並列接続による標準並列合成抵抗値Ｒｔ（ｃｄ）或いはＲｔ（ｃｅ）は、次の式（８）或いは（９）に基づき、
Rt(cd)=(Rc・Rd)/(Rc+Rd)・・・(8)、或いは
Rt(ce)=(Rc・Re)/(Rc+Re)・・・(9)
として求められる。
【００５６】
本実施形態では、上述したRa<Rb<Rc<Rd<Reを前提として、Rb<Rt(cd)<Rt(ce)<Rcが成立するようになっている。
（５）上記複数の衝突障害釘が、両障害釘５１ｄ、５１ｅの場合には、上記並列抵抗回路は、両単独抵抗２００ｄ、２００ｅの並列接続でもって構成される。従って、両単独抵抗２００ｄ、２００ｅの並列接続による標準並列合成抵抗値Ｒｔ（ｄｅ）は、次の式（１０）に基づき、
Rt(de)=(Rd・Re)/(Rd+Re)・・・(10)
として求められる。
【００５７】
本実施形態では、上述したRb<Rt(cd)<Rt(ce)<Rcを前提に、Rt(ce)<Rt(de)<Rcが成立するようになっている。
２．上記複数の衝突障害釘が、一連の障害釘５１ａ〜５１ｅのうちのいずれか３つの障害釘の場合
（１）上記いずれか３つの障害釘が、障害釘５１ａと各障害釘５１ｂ〜５１ｅのうちのいずれか２つとの場合には、上記並列抵抗回路は、単独抵抗２００ａと各単独抵抗２００ｂ〜２００ｅのうちのいずれか２つとの並列接続でもって構成される。
【００５８】
従って、上述の各単独抵抗２００ｂ〜２００ｅのうちのいずれか２つが、両単独抵抗２００ｂ、２００ｃ、両単独抵抗２００ｂ、２００ｄ或いは両単独抵抗２００ｂ、２００ｅである場合には、３つの単独抵抗２００ａ、２００ｂ、２００ｃ、３つの単独抵抗２００ａ、２００ｂ、２００ｄ或いは３つの単独抵抗２００ａ、２００ｂ、２００ｅの並列接続による標準並列合成抵抗値Ｒｔ（ａｂｃ）、Ｒｔ（ａｂｄ）或いはＲｔ（ａｂｅ）は、次の式（１１）、（１２）或いは（１３）に基づき、
Rt(abc)=(Ra・Rb・Rc)/(Ra・Rb+Rb・Rc+Rc・Ra)・・・(11)、
Rt(abd)=(Ra・Rb・Rd)/(Ra・Rb+Rb・Rd+Rd・Ra)・・・(12)、或いは
Rt(abe)=(Ra・Rb・Re)/(Ra・Rb+Rb・Re+Re・Ra)・・・(13)
として求められる。
【００５９】
また、上述の各単独抵抗２００ｂ〜２００ｅのうちのいずれか２つが、両単独抵抗２００ｃ、２００ｄ、両単独抵抗２００ｃ、２００ｅ或いは両単独抵抗２００ｄ、２００ｅである場合には、３つの単独抵抗２００ａ、２００ｃ、２００ｄ、３つの単独抵抗２００ａ、２００ｃ、２００ｅ或いは３つの単独抵抗２００ａ、２００ｄ、２００ｅの並列接続による標準並列合成抵抗値Ｒｔ（ａｃｄ）、Ｒｔ（ａｃｅ）或いはＲｔ（ａｄｅ）は、次の式（１４）、（１５）或いは（１６）に基づき、
Rt(acd)=(Ra・Rc・Rd)/(Ra・Rc+Rc・Rd+Rd・Ra)・・・(14)、
Rt(ace)=(Ra・Rc・Re)/(Ra・Rc+Rc・Re+Re・Ra)・・・(15)、或いは
Rt(ade)=(Ra・Rd・Re)/(Ra・Rd+Rd・Re+Re・Ra)・・・(16)
として求められる。
【００６０】
本実施形態では、上述したRt(ab)<Rt(ac)<Rt(ad)<Rt(ae)<Raを前提に、Rt(abc)＜Rt(abd)＜Rt(abe)＜Rt(ab)、及びRt(ab)＜Rt(acd)＜Rt(ace)＜Rt(ade)＜Rt(ac)が成立するようになっている。
（２）上記いずれか３つの障害釘が、障害釘５１ｂと各障害釘５１ｃ〜５１ｅのうちのいずれか２つとの場合には、上記並列抵抗回路は、単独抵抗２００ｂと各単独抵抗２００ｃ〜２００ｅのうちのいずれか２つとの並列接続でもって構成される。
【００６１】
従って、上述の各単独抵抗２００ｃ〜２００ｅのうちのいずれか２つが、両単独抵抗２００ｃ、２００ｄ、両単独抵抗２００ｃ、２００ｅ或いは両単独抵抗２００ｄ、２００ｅである場合には、３つの単独抵抗２００ｂ、２００ｃ、２００ｄ、３つの単独抵抗２００ｂ、２００ｃ、２００ｅ或いは３つの単独抵抗２００ｂ、２００ｄ、２００ｅの並列接続による標準並列合成抵抗値Ｒｔ（ｂｃｄ）、Ｒｔ（ｂｃｅ）或いはＲｔ（ｂｄｅ）は、次の式（１７）、（１８）或いは（１９）に基づき、
Rt(bcd)=(Rb・Rc・Rd)/(Rb・Rc+Rc・Rd+Rd・Rb)・・・(17)、
Rt(bce)=(Rb・Rc・Re)/(Rb・Rc+Rc・Re+Re・Rb)・・・(18)、或いは
Rt(bde)=(Rb・Rd・Re)/(Rb・Rd+Rd・Re+Re・Rb)・・・(19)
として求められる。本実施形態では、上述したRa<Rt(bc)<Rt(bd)<Rt(be)<Rbを前提に、Ra＜Rt(bcd)＜Rt(bce)＜Rt(bde)＜Rt(bc)が成立するようになっている。
（３）上記いずれか３つの障害釘が、各障害釘５１ｃ、５１ｄ、５１ｅの場合には、上記並列抵抗回路は、各単独抵抗２００ｃ、２００ｄ、２００ｅの並列接続でもって構成される。従って、各単独抵抗２００ｃ、２００ｄ、２００ｅの並列接続による標準並列合成抵抗値Ｒｔ（ｃｄｅ）は、次の式（２０）に基づき、
Rt(cde)=(Rc・Rd・Re)/(Rc・Rd+Rd・Re+Re・Rc)・・・(20)
として求められる。本実施形態では、上述したRa<Rt(bc)<Rt(bd)<Rt(be)<Rbを前提に、Rt(be)＜Rt(cde)＜Rbが成立するようになっている。
３．上記複数の衝突障害釘が、一連の障害釘５１ａ〜５１ｅのうちのいずれか４つの障害釘の場合
この場合には、上記並列抵抗回路は、一連の単独抵抗２００ａ〜２００ｅのうち上記いずれか４つの障害釘にそれぞれ接続してなる各単独抵抗の並列接続でもって構成される。
（１）上記いずれか４つの障害釘が、各障害釘５１ａ、５１ｂ、５１ｃ、５１ｄ或いは各障害釘５１ａ、５１ｂ、５１ｃ、５１ｅである場合には、４つの単独抵抗２００ａ、２００ｂ、２００ｃ、２００ｄ或いは４つの単独抵抗２００ａ、２００ｂ、２００ｃ、２００ｅの並列接続による標準並列合成抵抗値Ｒｔ（ａｂｃｄ）或いはＲｔ（ａｂｃｅ）は、次の式（２１）或いは（２２）に基づき、
Rt(abcd)=(Ra・Rb・Rc・Rd)/(Rb・Rc・Rd+Rc・Rd・Ra+Rd・Ra・Rb+Ra・Rb・Rc)
・・・(21)、或いは
Rt(abce)=(Ra・Rb・Rc・Re)/(Rb・Rc・Re+Rc・Re・Ra+Re・Ra・Rb+Ra・Rb・Rc)
・・・(22)
として求められる。本実施形態では、上述したRt(abc)＜Rt(abd)＜Rt(abe)＜Rt(ab)を前提に、Rt(abcd)＜Rt(abce)＜Rt(abc)が成立するようになっている。
（２）上記いずれか４つの障害釘が、各障害釘５１ａ、５１ｂ、５１ｄ、５１ｅ、各障害釘５１ａ、５１ｃ、５１ｄ、５１ｅ或いは各障害釘５１ｂ、５１ｃ、５１ｄ、５１ｅである場合には、４つの単独抵抗２００ａ、２００ｂ、２００ｄ、２００ｅ、４つの単独抵抗２００ａ、２００ｃ、２００ｄ、２００ｅ或いは４つの単独抵抗２００ｂ、２００ｃ、２００ｄ、２００ｅの並列接続による標準並列合成抵抗値Ｒｔ（ａｂｄｅ）、Ｒｔ（ａｃｄｅ）或いはＲｔ（ｂｃｄｅ）は、次の式（２３）、（２４）或いは（２５）に基づき、
Rt(abde)=(Ra・Rb・Rd・Re)/(Rb・Rd・Re+Rd・Re・Ra+Re・Ra・Rb+Ra・Rb・Rd)
・・・(23)、
Rt(acde)=(Ra・Rc・Rd・Re)/(Rc・Rd・Re+Rd・Re・Ra+Re・Ra・Rc+Ra・Rc・Rd)
・・・(24)、或いは
Rt(bcde)=(Rb・Rc・Rd・Re)/(Rc・Rd・Re+Rd・Re・Rb+Re・Rb・Rc+Rb・Rc・Rd)
・・・(25)
として求められる。
【００６２】
本実施形態では、上述したRt(abcd)＜Rt(abce)＜Rt(abc)を前提に、Rt(abce)＜Rt(abde)＜Rt(abc)が成立し、上述したRt(abc)＜Rt(abd)＜Rt(abe)＜Rt(ab)を前提に、Rt(abe)＜Rt(acde)＜Rt(ab)が成立し、また、上述したRt(ac)<Rt(ad)<Rt(ae)<Raを前提に、Rt(ae)＜Rt(bcde)＜Raが成立するようになっている。
４．上記複数の衝突障害釘が、各障害釘５１ａ、５１ｂ、５１ｃ、５１ｄ及び５１ｅの５つである場合
この場合には、上記並列抵抗回路は、各単独抵抗２００ａ、２００ｂ、２００ｃ、２００ｄ、２００ｅの並列接続でもって構成される。従って、各単独抵抗２００ａ、２００ｂ、２００ｃ、２００ｄ、２００eの並列接続による標準並列合成抵抗値Ｒｔ（ａｂｃｄｅ）は、分子をＸとし、分母をＹとすると、次の各式（２６）及び（２７）のもと、次の式（２８）に基づき、
X=Ra・Rb・Rc・Rd・Re・・・・・・・・・・・・・・・・・・・・・・・・・(26)、
Y=Rb・Rc・Rd・Re+Rc・Rd・Re・Ra・Rb+Re・Ra・Rb・Rc+Ra・Rb・Rc・Rd・・・(27)、
Rt(abcde)=X/Y・・・・・・・・・・・・・・・・・・・・・・・・・・・・・(28)
として求められる。本実施形態では、上述したRt(abcd)＜Rt(abce)＜Rt(abc)を前提に、Rt(abcde)＜Rt(abcd)が成立するようになっている。
【００６３】
電圧保持回路３００は、その入力端子にて、共通配線８０ａを介し導電膜８０に接続されており、当該電圧保持回路３００は、導電膜８０から共通配線８０ａを通し分圧回路２００から分圧電圧を受けて保持電圧として保持する。ここで、電圧保持回路３００は、支持板７０の裏面に配設されている。共通配線８０ａは、その一端にて、導電膜８０に接続されており、この共通配線８０ａの他端は、支持板７０の貫通孔部（図示しない）を通り電圧保持回路３００の入力端子に接続されている。なお、電圧保持回路３００としては、日本サーキットデザイン（株）製ＰＨ−２０１Ａ型ピークホールド回路が採用されている。
【００６４】
Ｄ−Ａ変換器４００は、マイクロコンピュータ６００から後述のように順次出力される第１〜第３１の目標電圧を順次アナログ変換して第１〜第３１の照合電圧としてコンパレータ５００に出力する。
【００６５】
コンパレータ５００は、電圧保持回路３００からの保持電圧をＤ−Ａ変換器４００から順次発生する照合電圧と比較する。そして、電圧保持回路３００からの保持電圧がＤ−Ａ変換器４００から順次発生する照合電圧のうちいずれかの照合電圧に達すると、コンパレータ５００は、ハイレベル（Ｈレベル）の比較信号を発生する。電圧保持回路３００からの保持電圧がＤ−Ａ変換器４００から順次発生する第１〜第３１の照合電圧のうちいずれかの照合電圧よりも低いとき、コンパレータ５００は、ローレベル（Ｌレベル）の比較信号を発生する。なお、電圧保持回路３００が保持電圧を保持していないとき、コンパレータ５００の正側入力端子は、実質的に開放状態にある。このため、コンパレータ５００の出力はない。
【００６６】
マイクロコンピュータ６００は、図６及び図７にてそれぞれ示す各フローチャートに従い、主制御プログラム及び割り込み制御プログラムを実行する。このマイクロコンピュータ６００は、上記主制御プログラムの実行中において、カウントアップ値Ｎの加算処理のもとに、目標電圧の出力に要する種々の処理を行う。また、マイクロコンピュータ６００は、上記割り込み制御プログラムの実行中において、コンパレータ５００からの比較信号のレベルに基づき、発光ダイオードの駆動に要する種々の処理を行う。なお、マイクロコンピュータ６００は、その作動開始に伴い、上記主制御プログラムの実行を開始し、また、コンパレータ５００からの比較信号の出力毎に、上記割り込み制御プログラムの実行を開始する。また、上記主制御プログラム及び上記割り込み制御プログラムは、マイクロコンピュータ６００のＲＯＭにこのマイクロコンピュータにより読み出し可能に予め記憶されている。
【００６７】
また、本第１実施形態において、マイクロコンピュータ６００のＲＯＭには、図８にて示すような抵抗値−カウントアップ値データが予め記憶されている。当該抵抗値−カウントアップ値データは、一連のカウントアップ値Ｎ１〜Ｎ３１と一連の目標抵抗値（標準抵抗値或いは標準並列合成抵抗値からなる）との対応関係を表す。例えば、各カウントアップ値Ｎ１〜Ｎ５は、各目標抵抗値である各標準並列合成抵抗値Ｒｔ（ａｂｃｄｅ）、Ｒｔ（ａｂｃｄ）、Ｒｔ（ａｂｃｅ）、Ｒｔ（ａｂｄｅ）及びＲｔ（ａｂｃ）に対応する。また、各カウントアップ値Ｎ２６〜Ｎ３１は、それぞれ、各目標抵抗値である各標準並列合成抵抗値Ｒｔ（ｃｄ）、Ｒｔ（ｃｅ）、Ｒｔ（ｄｅ）、各標準抵抗値Ｒｃ、Ｒｄ及びＲｅに対応する。
【００６８】
本実施形態では、上述したRa<Rb<Rc<Rd<Reにおいて、一標準抵抗値とこの一標準抵抗値に対し大小関係において互いに隣り合う各標準抵抗値との間の差は、互いに異なっている。従って、上述のような大小関係において互いに隣り合う標準並列合成抵抗値或いは標準抵抗値の間の差は、一致するとは限らない。なお、図８の図表において、中央欄に記載の対応目標抵抗値（対応の標準並列合成抵抗値或いは標準抵抗値）は、右欄に記載の並列抵抗又は単独抵抗に対応する。例えば、目標抵抗値である標準並列合成抵抗値Ｒｔ（ａｂｃｄｅ）は、５つの単独抵抗２００ａ〜２００ｅの並列抵抗に対応する。
【００６９】
また、上記ＲＯＭには、マイクロコンピュータ６００からＤ−Ａ変換器４００に出力される目標電圧と、上述した各目標抵抗値と、両一連の発光ダイオードとの間において、図９の図表にて示すような対応関係を表す目標電圧−目標抵抗値−発光ダイオードデータが予め記憶されている。
【００７０】
当該目標電圧−目標抵抗値−発光ダイオードデータは、一連の目標電圧、一連の目標抵抗値及び両一連の発光ダイオードとの間の対応関係を表す。例えば、第１目標電圧は、目標抵抗値である標準並列合成抵抗値Rt(abcde)及び各両第１〜第５の発光ダイオードに対応する。また、また、第３１照合電圧は、目標抵抗値である標準抵抗Ｒｅ及び両第５発光ダイオードに対応する。
【００７１】
なお、各両第１、第２、第３、第４及び第５の発光ダイオードとは、各両発光ダイオード９０ａ、１００ａ；９０ｂ、１００ｂ；９０ｃ、１００ｃ；９０ｄ、１００ｄ及び９０ｅ、１００ｅをいう。また、本実施形態では、第１〜第３１の目標電圧は、第１目標電圧から第３１目標電圧にかけて順次低くなるように設定されている。但し、これら各目標電圧において、一目標電圧と大小関係で互いに隣り合う各目標電圧との差は、上述のごとく、大小関係において互いに隣り合う標準並列合成抵抗値或いは標準抵抗値の間の差が一致するとは限らない。
【００７２】
一連の発光駆動回路７００ａ〜７００ｅは、図５から明らかなように、それぞれ、各一対の発光ダイオード９０ａ、１００ａ；〜；９０ｅ、１００ｅに対応するもので、各発光駆動回路７００ａ〜７００ｅは、マイクロコンピュータ６００による制御のもと、それぞれ、対応の各一対の発光ダイオード９０ａ、１００ａ；〜；９０ｅ、１００ｅを発光駆動する。なお、一連の発光駆動回路７００ａ〜７００ｅは、Ｄ−Ａ変換器４００、コンパレータ５００及びマイクロコンピュータ６００と共に支持板７０の裏面に配設されている。
【００７３】
以上のように構成した本第１実施形態において、当該パチンコ遊技機が遊技可能状態におかれると、マイクロコンピュータ６００が、図６のフローチャートに従い上記主制御プログラムの実行を開始する。
【００７４】
現段階において、当該パチンコ遊技機の操作ハンドルＨが未操作状態にあれば、遊技球は発射されていないため、電圧保持回路３００は保持電圧を保持しない。従って、コンパレータ５００は比較信号を出力しない状態にある。よって、上記割り込み制御プログラムの割り込み実行はマイクロコンピュータ６００によりなされない状態にある。
【００７５】
上述の主制御プログラムの実行開始に伴い、ステップ８００において、カウントアップデータがＮ＝０とクリアされる。ついで、ステップ８１０において、上記カウントアップデータがＮ＝Ｎ＋１＝１と加算更新される。
【００７６】
然る後、ステップ８２０において、カウントアップデータがＮ＝Ｎｉか否かが判定される。ここで、Ｎｉは、上述したカウントアップ値を表し、ｉ＝１、２、・・・・、３１のいずれかを表す（図８参照）。
【００７７】
現段階では、Ｎ＝０≠Ｎｉであることから、ステップ８２０における判定はＮＯとなる。以後、カウントアップデータＮが、カウントアップ値Ｎ１〜Ｎ３１のうちＮ１と一致するまで、ステップ８１０におけるＮ＝Ｎ＋１の加算更新処理及びこの加算更新処理に基づく８２０におけるＮ＝Ｎｉの成立の有無の判定処理が繰り返される。
【００７８】
このような状態において、Ｎ＝Ｎ１になると、ステップ８２０において、ＹＥＳと判定される。すると、次のステップ８２１において、目標抵抗値決定処理がなされる。これに伴い、対応目標抵抗値である標準並列合成抵抗値Ｒｔ（ａｂｃｄｅ）が、抵抗値−カウントアップ値データ（図８参照）からカウントアップ値Ｎ１に基づきサーチされて決定される。ついで、ステップ８２２において、第１目標電圧が、上記ＲＯＭに記憶済みの上記目標電圧−目標抵抗値−発光ダイオードデータから上記目標抵抗値（標準並列合成抵抗値Ｒｔ（ａｂｃｄｅ））に基づき決定される。これに伴い、ステップ８２３における目標電圧出力処理において、ステップ８２２で決定した第１目標電圧が、Ｄ−Ａ変換器４００に出力されて、当該Ｄ−Ａ変換器４００により、第１照合電圧として発生される。
【００７９】
現段階では、上述のごとく、Ｎ＝Ｎ１故、ＮがＮ３１と一致しないことから、ステップ８２３における処理後、ステップ８３０においてＮＯと判定されて上記主制御プログラムはステップ８１０に戻る。そして、当該ステップ８１０において、Ｎ＝Ｎ＋１＝２と加算更新される。然る後は、Ｎ＝Ｎ２となるまで、両ステップ８２０、８１０を通る処理が繰り返される。
【００８０】
このような状態において、Ｎ＝Ｎ２になると、ステップ８２０において、ＹＥＳと判定される。すると、次のステップ８２１において、対応目標抵抗値である標準並列合成抵抗値Ｒｔ（ａｂｃｄ）が、抵抗値−カウントアップ値データ（図８参照）からカウントアップ値Ｎ２に基づきサーチされて決定される。ついで、ステップ８２２において、第２目標電圧が、上記目標電圧−目標抵抗値−発光ダイオードデータから上記目標抵抗値（標準並列合成抵抗値Ｒｔ（ａｂｃｄ））に基づき決定される。これに伴い、ステップ８２３において、ステップ８２２で決定した第２目標電圧が、Ｄ−Ａ変換器４００により、第２照合電圧として発生される。
【００８１】
現段階では、上述のごとく、Ｎ＝Ｎ２故、ＮがＮ３１と一致しないことから、ステップ８２３における処理後、ステップ８３０においてＮＯと判定されて上記主制御プログラムはステップ８１０に戻る。
【００８２】
以後、上述と同様に、ステップ８１０〜ステップ８３０を通る繰り返し処理を行うことで、Ｎ＝Ｎ３、・・・・、Ｎ３１に順次達し、第３〜第３１の目標電圧が、上記目標電圧−目標抵抗値−発光ダイオードデータに基づき、順次、決定されて出力され、Ｄ−Ａ変換器４００により、第３〜第３１の照合電圧として発生される。
【００８３】
然る後、ステップ８３０において、Ｎ＝Ｎ３１に基づき、ＹＥＳと判定されると、上記主制御プログラムは、リターンステップを通りスタートステップに戻り、ステップ８００以後の処理が再び上述と同様になされる。
【００８４】
このようにして、Ｄ−Ａ変換器４００は、マイクロコンピュータ６００から順次出力される第１〜第３１の目標電圧に基づき第１〜第３１の照合電圧を順次繰り返し発生している。
【００８５】
このような状態において、当該パチンコ遊技機の上皿内の遊技球が、遊技者による操作ハンドルＨの操作に伴い、ガイドレール３０から遊技盤Ｂｂの遊技領域内に順次発射されると、これら各遊技球は、順次、遊技盤Ｂｂの盤面に沿い多数の障害釘５２を介し転動して下方へ向かう。ここで、このように下方へ向かう各遊技球のうちの複数の遊技球が球衝突経路表示装置Ｕに向かうものとする。
【００８６】
しかして、このようにして球衝突経路表示装置Ｕに向かう複数の遊技球のうちの１つが、一連の障害釘５１ａ〜５１ｅのうちの１つの障害釘、例えば障害釘５１ａに衝突して当該障害釘５１ａとこれに対する導電膜８０の近傍部位とに同時に接触すると、このように接触した障害釘５１ａが、上記遊技球を介して導電膜８０に電気的に接続される。これに伴い、障害釘５１ａは、導電膜８０を介し共通抵抗２１０に電気的に接続される。
【００８７】
これにより、分圧回路２００においては、障害釘５１ａに接続してなる単独抵抗２００ａが共通抵抗２１０と直列接続される。従って、分圧回路２００は、単独抵抗２００ａ及び共通抵抗２１０により、直流電源Ｖの直流電圧を分圧し分圧電圧として導電膜８０及び共通配線８０ａを通して電圧保持回路３００に出力する。これにより、分圧回路２００からの分圧電圧は電圧保持回路３００により保持電圧（目標抵抗値である標準抵抗値Ｒａに対応）として保持される。
【００８８】
このように保持された保持電圧がコンパレータ５００に出力されると、この保持電圧は、コンパレータ５００により、Ｄ−Ａ変換器４００から順次発生する照合電圧と比較される。これに伴い、当該保持電圧が、Ｄ−Ａ変換器４００から順次発生する照合電圧よりも低い間では、コンパレータ５００は、Ｌレベルの比較信号を繰り返し発生する。
【００８９】
具体的には、Ｄ−Ａ変換器４００から順次発生する照合電圧が目標抵抗値である標準抵抗値Ｒａに対応する第１７照合電圧になるまでは、コンパレータ５００は、Ｌレベルの比較信号を繰り返し発生する。このため、当該コンパレータ５００からの比較信号毎に、上記割り込み制御プログラムの割り込みが図７のフローチャートに従い開始され、ステップ９００において、Ｌレベルの比較信号のセット処理及びステップ９１０におけるＮＯとの判定処理が繰り返される。
【００９０】
然る後、Ｄ−Ａ変換器４００からの照合電圧が、上記保持電圧（目標抵抗値である標準抵抗Ｒａに対応）と一致する第１７照合電圧になると、コンパレータ５００は、Ｈレベルの比較信号を発生する。これに伴い、上記割り込み制御プログラムの割り込みが開始されると、ステップ９００において、当該Ｈレベルの比較信号がセットされ、このＨレベルの比較信号に基づきステップ９１０においてＹＥＳと判定される。
【００９１】
この判定に伴い、ステップ９２０において、先回の比較信号はＬレベルか否かが判定される。現段階において、ステップ９００にてセットされた最新の比較信号（上記Ｈレベルの比較信号）の前の比較信号は、上述のごとく、Ｌレベルであることから、ステップ９２０における判定はＹＥＳとなる。
【００９２】
このため、ステップ９３０における目標電圧のセット処理では、上述したステップ９００にてセット済みの最新のＨレベルの比較信号がコンパレータ５００からの発生根拠となっている第１７目標電圧（Ｄ−Ａ変換器４００からの第１７照合電圧に対応）がセットされる。
【００９３】
ここで、この第１７目標電圧に対応するＤ−Ａ変換器４００からの第１７照合電圧は、上述したコンパレータ５００からのＨレベルの比較信号に対応する電圧保持回路３００からの保持電圧（目標抵抗値である標準抵抗Ｒａに対応）に等しい。そして、この第１７目標電圧は両第１発光ダイオードである両発光ダイオード９０ａ、１００ａに対応する（図９参照）。
【００９４】
そこで、ステップ９３０における処理後、ステップ９４０における発光ダイオードのサーチ処理において、両発光ダイオード９０ａ、１００ａが、ステップ９３０でセット済みの最新の目標電圧である第１７目標電圧に基づき、上記目標電圧−目標抵抗値−発光ダイオードデータからサーチされる。そして、次のステップ９５０において発光ダイオードの駆動処理のもと、両発光ダイオード９０ａ、１００ａが、発光駆動回路７００ａにより発光駆動されて、各発光部９１ａ、１０１ａから各透明カバー１１０ａ、１１０ｂを通して光を出射する。これにより、遊技球の障害釘５１ａとの衝突が表示される。
【００９５】
上述のように遊技球が障害釘５１ａに衝突した後、例えば、当該遊技球が障害釘５１ｄに衝突すると同時に他の２つの遊技球が各障害釘５１ｂ、５１ｃにそれぞれ衝突して、これら３つの遊技球が、それぞれ、各障害釘５１ｂ、５１ｃ、５１ｄ及びその導電膜８０の各近傍部位に同時に接触すると、３つの障害釘５１ｂ、５１ｃ、５１ｄが各対応の遊技球及び導電膜８０を介して共通抵抗２１０に電気的に接続される。
【００９６】
これにより、分圧回路２００においては、上記３つの障害釘５１ｂ、５１ｃ、５１ｄに接続してなる３つの単独抵抗２００ｂ、２００ｃ及び２００ｄが並列抵抗回路（標準並列合成値Ｒｔ（ｂｃｄ）を有する）を構成して共通抵抗２１０と直列接続される。
【００９７】
従って、分圧回路２００は、当該並列抵抗回路（目標抵抗値である標準並列合成値Ｒｔ（ｂｃｄ）を有する）及び共通抵抗２１０により、直流電源Ｖの直流電圧を分圧し分圧電圧として導電膜８０及び共通配線８０ａを通して電圧保持回路３００に出力する。これにより、分圧回路２００からの分圧電圧は電圧保持回路３００により保持電圧（目標抵抗値である標準並列合成値Ｒｔ（ｂｃｄ）に対応）として保持される。
【００９８】
このように保持された保持電圧は、コンパレータ５００により、Ｄ−Ａ変換器４００から順次発生する照合電圧と比較される。これに伴い、当該照合電圧が、上述の３つの単独抵抗２００ｂ、２００ｃ及び２００ｄの標準並列合成抵抗値Ｒｔ（ｂｃｄ）に対応する第１８照合電圧になるまでは、コンパレータ５００は、Ｌレベルの比較信号を繰り返し発生する。このため、当該コンパレータ５００からの比較信号毎に、上記割り込み制御プログラムの割り込みが図７のフローチャートに従い開始され、ステップ９００において、Ｌレベルの比較信号のセット処理及びステップ９１０におけるＮＯとの判定処理が繰り返される。
【００９９】
然る後、Ｄ−Ａ変換器４００からの照合電圧が、保持電圧（目標抵抗値である標準並列合成抵抗値Ｒｔ（ｂｃｄ）に対応）と一致する第１８照合電圧になると、コンパレータ５００は、Ｈレベルの比較信号を発生する。これに伴い、上記割り込み制御プログラムの割り込みが開始されると、ステップ９００において、当該Ｈレベルの比較信号がセットされ、このＨレベルの比較信号に基づきステップ９１０においてＹＥＳと判定される。
【０１００】
この判定に伴い、ステップ９２０におけるＹＥＳとの判定が上述と同様になされ、ステップ９３０において、上述したステップ９００にてセットされた最新の比較信号（Ｈレベルの比較信号）の発生根拠となる第１８目標電圧（Ｄ−Ａ変換器４００からの第１８照合電圧に対応）がセットされる。
【０１０１】
ここで、この第１８目標電圧に対応するＤ−Ａ変換器４００からの第１８照合電圧は、上述したコンパレータ５００からのＨレベルの比較信号に対応する電圧保持回路３００からの保持電圧（目標抵抗値である標準並列合成抵抗値Ｒｔ（ｂｃｄ）に対応）に等しい。そして、この第１８目標電圧は各両第２〜第４の発光ダイオードである各両発光ダイオード９０ｂ、１００ｂ；９０ｃ、１００ｃ：９０ｄ、１００ｄに対応する。
【０１０２】
ついで、ステップ９４０における発光ダイオードサーチ処理において、ステップ９３０でセット済みの最新の目標電圧が第１８目標電圧であること及びこの第１８目標電圧が両第２〜第４の発光ダイオードを特定対象とすることから、各両発光ダイオード９０ｂ、１００ｂ；９０ｃ、１００ｃ：９０ｄ、１００ｄが上記目標電圧−目標抵抗値−発光ダイオードデータに基づきサーチされて、決定される。
【０１０３】
これに伴い、各両発光ダイオード９０ｂ、１００ｂ；９０ｃ、１００ｃ；９０ｄ、１００ｄが、それぞれ、各対応の発光駆動回路７００ｂ、７００ｃ、７００ｄにより発光駆動されて、各発光部９１ｂ、１０１ｂ、９１ｃ、１０１ｃ及び９１ｄ、１０１ｄから各透明カバー１１０ａ、１１０ｂを通して光を出射する。これにより、上述のように遊技球の障害釘５１ａとの衝突後の３つの遊技球の３つの障害釘５１ｂ〜５１ｅとの同時衝突が表示される。
【０１０４】
然る後、障害釘５１ｄに衝突した遊技球が、障害釘５１ｅに衝突して当該障害釘５１ｅ及びその導電膜８０の近傍部位に同時に接触すると、当該障害釘５１ｅが対応の遊技球及び導電膜８０を介して共通抵抗２１０に電気的に接続される。
【０１０５】
これにより、分圧回路２００においては、障害釘５１ｅに接続してなる単独抵抗２００ｅ及び共通抵抗２１０が直流電源Ｖの直流電圧を分圧し分圧電圧として導電膜８０及び共通配線８０ａを介し電圧保持回路３００に出力されて保持電圧（目標抵抗値である標準抵抗値Ｒｅに対応）として保持される。
【０１０６】
然る後、上述と実質的に同様にして、Ｄ−Ａ変換器４００から順次発生する照合電圧が、単独抵抗２００ｅの標準抵抗値Ｒｅに対応する第３１照合電圧になると、コンパレータ５００は、Ｈレベルの比較信号を発生する。このため、ステップ９１０においてＹＥＳと判定される。そして、ステップ９３０において、第３１目標電圧（Ｄ−Ａ変換器４００からの第３１照合電圧に対応）がセットされる。
【０１０７】
これに伴い、ステップ９４０において、第３１目標電圧が両第５の発光ダイオードを特定対象とすることから、両発光ダイオード９０ｅ、１００ｅが、上記目標電圧−目標抵抗値−発光ダイオードデータに基づきサーチされ、決定される。このため、両発光ダイオード９０ｅ、１００ｅが、発光駆動回路７００ｅにより発光駆動されて、各透明カバー１１０ａ、１１０ｂを通して光を出射する。これにより、上述のように３つの遊技球の３つの障害釘５１ｂ〜５１ｅとの同時衝突後の遊技球の障害釘５１ｅとの衝突が表示される。
【０１０８】
以上のように、遊技球が、障害釘５１ａに衝突した後、他の２つの遊技球と共に３つの障害釘５１ｂ、５１ｃ及び５１ｄに同時衝突し、ついで、障害釘５１ｅに衝突する場合には、両発光ダイオード９０ａ、１００ａが発光した後、各両発光ダイオード９０ｂ、１００ｂ；９０ｃ、１００ｃ；９０ｄ、１００ｄが発光し、然る後、両発光ダイオード９０ｅ、１００ｅが発光することで、単一の遊技球の衝突や３つの遊技球の同時衝突であっても、これらの遊技球の衝突経路が適正に表示され得る。
【０１０９】
また、上述のような遊技球の衝突態様に限ることなく、遊技球と一連の障害釘５１ａ〜５１ｅのいずれかとの衝突や複数の遊技球と一連の障害釘５１ａ〜５１ｅのうちの複数の障害釘との同時衝突によっても、上述と実質的に同様にして、遊技球の衝突経路の表示が適正に表示され得る。
【０１１０】
以上説明したように、本第１実施形態において、球衝突経路表示装置Ｕでは、各一連の発光ダイオード９０ａ〜９０ｅ及び１００ａ〜１００ｅが、その各発光部９１ａ〜９１ｅ及び１０１ａ〜１０１ｅにて、支持板７０の各凹所７２ａ、７２ｂ内に露出するように、当該各凹所７２ａ、７２ｂの底壁に挿通固定されている。
【０１１１】
このため、各一連の発光ダイオード９０ａ〜９０ｅ及び１００ａ〜１００ｅは、駆動される両対応発光ダイオード毎に、従来技術にて述べた光ファイバーのような余分な構成部材に依存することなく、各発光部にて、光を、各凹所７２ａ、７２ｂ内から支持板７０の表面側へ、直接、出射することなる。しかも、各一連の発光ダイオード９０ａ〜９０ｅ及び１００ａ〜１００ｅは、上述のように一連の障害釘５１ａ〜５１ｅとは別体であることから、従来技術にて述べたような光ファイバーの障害釘に対する挿通構成や挿通作業が不要となる。
【０１１２】
従って、当該球衝突経路表示装置Ｕの構成や光源としての各一連の発光ダイオード９０ａ〜９０ｅ及び１００ａ〜１００ｅの組み付け作業が簡単になる。その結果、パチンコ遊技機としての構成や組み立て作業が従来よりもより一層簡単になる。
【０１１３】
また、上述のように、各一連の発光ダイオード９０ａ〜９０ｅ及び１００ａ〜１００ｅの各発光部は、支持板７０の各凹所７２ａ、７２ｂ内にて、当該各凹所７２ａ、７２ｂの開口部に設けた各透明カバー１１０ａ、１１０ｂにより覆蓋されている。従って、遊技球Ｓの発光部との衝突が、当該透明カバーにより未然に防止され得る。ここで、透明カバーは透明であるから、発光ダイオードは、透明カバー１１０ａ或いは１１０ｂを通り、光を容易に透過させ得るので、当該光の視認は容易である。
【０１１４】
また、上述のごとく、障害釘が遊技球Ｓの衝突により電気的に接続される導電膜８０が、一連の障害釘５１ａ〜５１ｅに共通となるように、単一に構成されているから、従来技術で述べたように障害釘毎に通電板を設ける構成は不要となる。これに伴い、単一の導電膜８０を支持板７０の裏側に設けた駆動制御回路Ｅと電気的に接続する接続部材が、従来技術で述べたように障害釘毎に通電コードを設ける必要もなく、単一の共通配線８０ａのみで済む。従って、球衝突経路表示装置Ｕとしての構成、ひいては、パチンコ遊技機としての構成が、さらに簡単になる。
【０１１５】
また、遊技球Ｓの障害釘との衝突に伴う発光ダイオードの発光が、従来技術にて述べたような振動感知器の感知信号及びこの感知信号を増幅する電気回路とは異なり、遊技球Ｓを介する障害釘と単一の導電膜８０との電気的接続でもってなされる。従って、当該球衝突経路表示装置Ｕを設けたパチンコ遊技機が、ホールに配設されたとき、発光ダイオードは、当該ホールで生ずる遊技球の障害釘との衝突以外の外乱振動とは係わりなく、遊技球の障害釘との衝突のみに応答して正しく発光され得る。その結果、遊技球の衝突経路が良好に認識され得る。
【０１１６】
以上述べたことから分かるように、障害釘の振動に依存することなく、簡単な構成にて、球衝突経路表示装置Ｕの一連の障害釘のいずれかに対応する一連の発光ダイオードを遊技者側から視認可能に保護しつつ、各障害釘に対する遊技球の衝突経路を、各発光ダイオードの発光でもって、球衝突経路として良好に表示し得るという相乗的な作用効果が達成され得る。
【０１１７】
また、上述のように、本第１実施形態では、球衝突経路表示装置Ｕにおいて、上述のように構成した分圧回路２００、電圧保持回路３００、Ｄ−Ａ変換器４００及びコンパレータ５００が採用され、かつ上述のようにマイクロコンピュータ６００のＲＯＭに記憶した抵抗値−カウントアップ値データ（図８参照）及び目標電圧−目標抵抗値−発光ダイオードデータ（図９参照）が、駆動すべき発光ダイオードを特定するデータとして採用されている。
【０１１８】
そして、このような構成及びデータのもとに、１つ或いは複数の遊技球が、一連の障害釘５１ａ〜５１ｅのうちの１つ或いは複数の障害釘に衝突することで、当該１つ或いは複数の障害釘及び導電膜８０の双方に接触すると、各単独抵抗２００ａ〜２００ｅのうち上述のように衝突した上記１つ或いは複数の障害釘に接続した１つ或いは複数の単独抵抗が、導電板８０と直流電源Ｖとの間で互いに、単独抵抗回路或いは並列抵抗回路を構成して、共通抵抗２１０と直列接続され、当該共通抵抗２１０と共に直流電源Ｖの直流電圧を分圧し、上記単独抵抗回路或いは並列抵抗回路に対応する分圧電圧を導電板８０から共通配線８０ａを介して電圧保持回路３００に出力されて保持電圧として保持される。
【０１１９】
従って、このような保持電圧及びＤ−Ａ変換器４００から順次出力される第１〜第３１の照合電圧（マイクロコンピュータ６００から順次出力される第１〜第３１の目標電圧に対応）のもとにコンパレータ５００から順次発生する比較信号を利用することで、当該比較信号が上記保持電圧に基づきＬレベルからＨレベルへ変化したときの目標電圧に対応する発光ダイオードがサーチされて駆動される。
【０１２０】
これにより、１つの遊技球が、一連の障害釘５１ａ〜５１ｅのいずれかに衝突する場合は勿論のこと、複数の遊技球が、一連の障害釘５１ａ〜５１ｅのうちの複数の障害釘に同時に衝突する場合でも、当該１つの遊技球による球衝突経路或いは当該複数の遊技球の同時衝突による球衝突経路が良好に表示され得る。
【０１２１】
特に、分圧回路２００においては、上述のごとく、一連の単独抵抗２００ａ〜２００ｅの各々が、それぞれ、一連の障害釘５１ａ〜５１ｅの各々と直流電源Ｖの正側端子との間に接続されるとともに、共通抵抗２１０が、その一端にて導電膜８０の一部に接続され、他端にて接地されている。このため、複数の遊技球が一連の障害釘５１ａ〜５１ｅのうちの複数の障害釘に同時に衝突する場合には、一連の単独抵抗２００ａ〜２００ｅのうち当該障害釘に接続した複数の単独抵抗が並列抵抗回路を構成して共通抵抗２１０と直列回路となって直流電源Ｖの直流電圧を分圧する。
【０１２２】
ここで、本第１実施形態では、上述のごとく、一連の単独抵抗２００ａ〜２００ｅの各標準抵抗値は、互いに相違し、かつ、上記並列抵抗回路の標準並列合成抵抗値も、互いに相違するとともに、上記各標準抵抗値とも相違する。そして、このような相違を前提として、抵抗値−カウントアップ値データ（図８参照）及び目標電圧−目標抵抗値−発光ダイオードデータ（図９参照）を採用することで、１つの遊技球が一連の障害釘５１ａ〜５１ｅのうちのいずれの障害釘に衝突しても、また、複数の遊技球が一連の障害釘５１ａ〜５１ｅのうちのいずれの複数の障害釘に同時に衝突しても、上述の抵抗値−カウントアップ値データ（図８参照）及び目標電圧−目標抵抗値−発光ダイオードデータ（図９参照）を利用して、遊技球による衝突された１つ或いは複数の障害釘に対応する発光ダイオードを特定して駆動し得る。その結果、上述のように、１つの遊技球による球衝突経路或いは複数の遊技球の同時衝突による球衝突経路が良好に表示され得る。
【０１２３】
また、上述のように分圧回路２００が構成されているから、当該分圧回路２００において直流電圧の分圧に要する単独抵抗の数が必要最小限の数に減少され得る。
（第２実施形態）
図１０は、本発明の第２実施形態の要部を示している。この第２実施形態において、上記第１実施形態にて述べた分圧回路２００の一連の単独抵抗２００ａ〜２００ｅとして汎用の抵抗を採用する場合、これら一連の単独抵抗２００ａ〜２００ｅの各標準抵抗値Ｒａ〜Ｒｅの実際の値は、通常、±１（％）の誤差範囲以内でばらつく。これに伴い、上記第１実施形態にて述べた各標準並列合成抵抗値Ｒｔ（ａｂ）〜Ｒｔ（ａｂｃｄｅ）の実際の値もばらつく。
【０１２４】
本第２実施形態において、一連の単独抵抗２００ａ〜２００ｅの各標準抵抗値については、例えば、Ｒａ＝１０（ｋΩ）、Ｒｂ＝２０（ｋΩ）、Ｒｃ＝４０（ｋΩ）、Ｒｄ＝５０（ｋΩ）及びＲｅ＝１００（ｋΩ）とする。
【０１２５】
これに伴い、上述の各標準並列合成抵抗値Ｒｔ（ａｂ）〜Ｒｔ（ａｂｃｄｅ）は、図１１の図表にて示すような値をとる。この図表は、標準並列合成抵抗値をその具体的な値でもって示すものであるが、例えば、標準並列合成抵抗値Ｒｔ（ａｂ）は、６．６６７（ｋΩ）であり、また、標準並列合成抵抗値Rt(abcde)は、４．８７８（ｋΩ）である。
【０１２６】
また、当該各標準抵抗値Ｒａ〜Ｒｅの標準抵抗最小値及び標準抵抗最大値を、それぞれ、Ｒａｍｉｎ〜Ｒｅｍｉｎ及びＲａｍａｘ〜Ｒｅｍａｘで表すと、これらＲａｍｉｎ〜Ｒｅｍｉｎ及びＲａｍａｘ〜Ｒｅｍａｘは、図１２の図表にて示す通りである。この図表は、標準抵抗値の標準抵抗最小値及び標準抵抗最大値の具体的な値を示す。例えは、標準抵抗値Ｒａに対応する標準抵抗最小値Ｒａｍｉｎ及び標準抵抗最大値Ｒａｍａｘは、それぞれ、９．９００（ｋΩ）及び１０．１００（ｋΩ）であり、また、標準抵抗値Ｒｅに対応する標準抵抗最小値Ｒｅｍｉｎ及び標準抵抗最大値Ｒｅｍａｘは、それぞれ、９９．０００（ｋΩ）及び１０１．０００（ｋΩ）である。
【０１２７】
また、当該各標準並列合成抵抗値Ｒｔ（ａｂ）〜Ｒｔ（ａｂｃｄｅ）の並列合成抵抗最小値及び並列合成抵抗最大値を、それぞれ、Ｒｔ（ａｂ）ｍｉｎ〜Ｒｔ（ａｂｃｄｅ）ｍｉｎ及びＲｔ（ａｂ）ｍａｘ〜Ｒｔ（ａｂｃｄｅ）ｍａｘで表すと、これら、Ｒｔ（ａｂ）ｍｉｎ〜Ｒｔ（ａｂｃｄｅ）ｍｉｎ及びＲｔ（ａｂ）ｍａｘ〜Ｒｔ（ａｂｃｄｅ）ｍａｘは、図１３の図表で示す通りである。
【０１２８】
この第２実施形態では、上述のような標準抵抗値及び標準並列合成抵抗値のばらつきを考慮して、上記第１実施形態にて述べた各フローチャートに代えて、図１４及び図１５にて示す各フローチャートが採用されている。これに伴い、上記第１実施形態にて述べたマイクロコンピュータ６００は、図１４のフローチャートに従い上記主制御プログラムの実行を行い、また、図１５のフローチャートに従い上記割り込み制御プログラムの実行を行う。
【０１２９】
また、本第２実施形態では、マイクロコンピュータ６００のＲＯＭには、目標抵抗値（標準並列合成抵抗値又は標準抵抗値）と、対応抵抗最小値（対応の並列合成抵抗最小値又は標準抵抗最小値）と、対応抵抗最大値（対応の並列合成抵抗最大値又は標準抵抗最大値）との間の対応関係が、目標抵抗値−最小最大抵抗値データとして予め記憶されている（図１６参照）。
【０１３０】
ここで、第１〜第３１の抵抗最小値は、それぞれ、Ｒｔ（ａｂｃｄｅ）ｍｉｎ〜Ｒｅｍｉｎに対応し、また、第１〜第３１の抵抗最大値は、それぞれ、Ｒｔ（ａｂｃｄｅ）ｍａｘ〜Ｒｅｍａｘに対応する。
【０１３１】
また、本第２実施形態では、マイクロコンピュータ６００のＲＯＭには、マイクロコンピュータ６００からＤ−Ａ変換器４００に出力される最小目標電圧（以下、最小電圧ともいう）及び最大目標電圧（以下、最大電圧ともいう）と、対応の抵抗最小値（並列合成抵抗最小値又は標準抵抗最小値）及び対応の抵抗最大値（並列合成抵抗最大値又は標準抵抗最大値）と、両一連の第１〜第５の発光ダイオードとの間において、図１７の図表にて示すような対応関係を表す目標最小最大電圧−発光ダイオードデータが予め記憶されている。
【０１３２】
また、本第２実施形態では、上記第１実施形態にて述べたＤ−Ａ変換器４００及びコンパレータ５００に代えて、両Ｄ−Ａ変換器４００Ａ、４００Ｂ及びウインドウコンパレータＷが、図１０にて示すごとく、採用されている。
【０１３３】
Ｄ−Ａ変換器４００Ａは、マイクロコンピュータ６００から順次出力される第１〜第３１最小電圧をアナログ変換し、第１〜第３１の最小照合電圧としてウインドウコンパレータＷに出力する。また、Ｄ−Ａ変換器４００Ｂは、マイクロコンピュータ６００から順次出力される第１〜第３１最大電圧をアナログ変換し、第１〜第３１の最大照合電圧としてウインドウコンパレータＷに出力する。
【０１３４】
ウインドウコンパレータＷは、両コンパレータ部５００Ａ、５００Ｂを有しており、コンパレータ部５００Ａは、電圧保持回路３００からの保持電圧をＤ−Ａ変換器４００Ａから順次発生する第１〜第３１の最小照合電圧と比較する。そして、電圧保持回路３００からの保持電圧がＤ−Ａ変換器４００Ａから順次発生する第１〜第３１の最小照合電圧のうちいずれかの最小照合電圧よりも低いとき、コンパレータ部５００Ａは、Ｌレベルの比較信号を発生する。また、電圧保持回路３００からの保持電圧がＤ−Ａ変換器４００Ａから順次発生する第１〜第３１の最小照合電圧のうちいずれかの最小照合電圧よりも高いとき、コンパレータ部５００Ａは、Ｈレベルの比較信号を発生する。なお、電圧保持回路３００が保持電圧を保持していないとき、コンパレータ部５００Ａの正側入力端子は、実質的に開放状態にある。このため、コンパレータ部５００Ａの出力はない。また、以下、コンパレータ部５００Ａからの比較信号は第１比較信号という。
【０１３５】
コンパレータ部５００Ｂは、電圧保持回路３００からの保持電圧をＤ−Ａ変換器４００Ｂから順次発生する第１〜第３１の最大照合電圧と比較する。そして、電圧保持回路３００からの保持電圧がＤ−Ａ変換器４００Ｂから順次発生する第１〜第３１の最大照合電圧のうちいずれかの最大照合電圧よりも低いとき、コンパレータ部５００Ｂは、Ｈレベルの比較信号を発生する。また、電圧保持回路３００からの保持電圧がＤ−Ａ変換器４００Ｂから順次発生する第１〜第３１の最大照合電圧のうちいずれかの最大照合電圧よりも高いとき、コンパレータ部５００Ｂは、Ｌレベルの比較信号を発生する。なお、電圧保持回路３００が保持電圧を保持していないとき、コンパレータ部５００Ｂの正側入力端子は、実質的に開放状態にある。このため、コンパレータ部５００Ｂの出力はない。また、コンパレータ部５００Ｂからの比較信号は、第２比較信号という。
【０１３６】
しかして、当該ウインドウコンパレータＷによれば、電圧保持回路３００からの保持電圧が、両Ｄ−Ａ変換器４００Ａ、４００Ｂから互いに対応して発生する最小照合電圧（例えば、第１最小照合電圧）及び最大照合電圧（例えば、第１最大照合電圧）の間の値をとるときには、第１比較信号がＨレベルになるとともに、第２比較信号がＬレベルになる。
【０１３７】
また、電圧保持回路３００からの保持電圧が、両Ｄ−Ａ変換器４００Ａ、４００Ｂから互いに対応して発生する最小照合電圧（例えば、第１最小照合電圧）及び最大照合電圧（例えば、第１最大照合電圧）のうち、最小照合電圧（例えば、第１最小照合電圧）よりも低くなると、第１及び第２の比較信号は共にＬレベルになる。また、電圧保持回路３００からの保持電圧が、両Ｄ−Ａ変換器４００Ａ、４００Ｂから互いに対応して発生する照合電圧（例えば、第１最小照合電圧）及び最大照合電圧（例えば、第１最大照合電圧）のうち、最大照合電圧（例えば、第１最大照合電圧）よりも高くなると、第１及び第２の比較信号は共にＨレベルになる。その他の構成は、上記第１実施形態と同様である。
【０１３８】
以上のように構成した本第２実施形態において、当該パチンコ遊技機が遊技可能状態におかれると、マイクロコンピュータ６００が、図１４のフローチャートに従い上記主制御プログラムの実行を開始する。
【０１３９】
現段階において、電圧保持回路３００が、上記第１実施形態と同様に、保持電圧を発生していない状態にあれば、図１５のフローチャートに従う上記割り込み制御プログラムの割り込み実行はマイクロコンピュータ６００によりなされない状態にある。
【０１４０】
上述の主制御プログラムの実行開始に伴い、上記第１実施形態と同様に、Ｎ＝Ｎ１に基づきステップ８２０においてＹＥＳと判定されると、目標抵抗値である標準並列合成抵抗値Ｒｔ（ａｂｃｄｅ）が、上記第１実施形態と同様に、ステップ８２１において、抵抗値−カウントアップ値データ（図８参照）からカウントアップ値Ｎ１に基づきサーチされて、決定される。
【０１４１】
ついで、ステップ８２４における目標最小抵抗値及び目標最大抵抗値の決定処理では、第１最小抵抗値（Ｒｔ（ａｂｃｄｅ）ｍｉｎ）及び第１最大抵抗値（Ｒｔ（ａｂｃｄｅ）ｍａｘ）が、上記目標抵抗値−最小最大抵抗値データ（図１６参照）から上記目標抵抗値（Ｒｔ（ａｂｃｄｅ））に基づき決定される。
【０１４２】
これに伴い、ステップ８２５における最小電圧及び最大電圧の決定処理では、第１最小電圧及び第１最大電圧が、上記ＲＯＭに記憶済みの目標最小最大電圧−発光ダイオードデータ（図１７参照）からＲｔ（ａｂｃｄｅ）ｍｉｎ（第１最小抵抗値）及びＲｔ（ａｂｃｄｅ）ｍａｘ（第１最大抵抗値）に基づき決定される。ついで、ステップ８２６において、ステップ８２５で決定した第１最小電圧及び第１最大電圧が、各Ｄ−Ａ変換器４００Ａ、４００Ｂに出力されて、当該各Ｄ−Ａ変換器４００Ａ、４００Ｂにより、第１最小照合電圧及び第１最大照合電圧として発生される。
【０１４３】
ステップ８３０におけるＮＯとの判定後、上記第１実施形態と同様にＮ＝Ｎ２になると、ステップ８２０において、ＹＥＳと判定され、次のステップ８２１において、目標抵抗値である標準並列合成抵抗値Ｒｔ（ａｂｃｄ）が、抵抗値−カウントアップ値データ（図８参照）からカウントアップ値Ｎ２に基づきサーチされて、決定される。
【０１４４】
これに伴い、ステップ８２４において、第２最小抵抗値（Ｒｔ（ａｂｃｄ）ｍｉｎ）及び第２最大抵抗値（Ｒｔ（ａｂｃｄ）ｍａｘ）が、上記目標抵抗値−最小最大抵抗値データ（図１６参照）から上記目標抵抗値（Ｒｔ（ａｂｃｄ））に基づき決定される。すると、ステップ８２５において、第２最小電圧及び第２最大電圧が、目標抵抗値−最小最大抵抗値データ（図１７参照）から上記目標抵抗値（Ｒｔ（ａｂｃｄ））に基づき決定される。ついで、ステップ８２６において、ステップ８２５で決定した第２最小電圧及び第２最大電圧が、各Ｄ−Ａ変換器４００Ａ、４００Ｂに出力されて、当該各Ｄ−Ａ変換器４００Ａ、４００Ｂにより、第２最小照合電圧及び第２最大照合電圧として発生される。
【０１４５】
以後、同様にして、ステップ８１０〜ステップ８３０を通る繰り返し処理を行うことで、Ｎ＝Ｎ３、・・・・、Ｎ３１に順次達し、第３〜第３１の目標最小抵抗値及び目標最大抵抗値が、上記目標抵抗値−最小最大抵抗値データ（図１６参照）に基づき、順次、決定されて出力され、第３〜第３１の最小電圧及び最大電圧が、上記目標最小最大電圧−発光ダイオードデータ（図１７参照）に基づき決定され、ステップ８２６において、ステップ８２５で決定した第３〜第３１の最小電圧及び最大電圧が、各Ｄ−Ａ変換器４００Ａ、４００Ｂに出力されて、当該各Ｄ−Ａ変換器４００Ａ、４００Ｂにより、第３〜第３１の最小照合電圧及び最大照合電圧として発生される。
【０１４６】
ステップ８３０において、Ｎ＝Ｎ３１に基づき、ＹＥＳと判定されると、上記主制御プログラムは、リターンステップを通りスタートステップに戻り、ステップ８００以後の処理が再び上述と同様になされる。
【０１４７】
このようにして、両Ｄ−Ａ変換器４００Ａ、４００Ｂは、それぞれ、マイクロコンピュータ６００から順次出力される第１〜第３１の最小電圧及び最大電圧に基づき第１〜第３１の最小照合電圧及び最大照合電圧を順次繰り返し発生している。
【０１４８】
このような状態において、上記第１実施形態と同様に、球衝突経路表示装置Ｕに向かう複数の遊技球のうちの１つが、例えば、障害釘５１ａの頭部部位に衝突して、直流電源Ｖの直流電圧が、分圧回路２００によりその単独抵抗２００ａ及び共通抵抗２１０でもって、分圧されて、分圧電圧として発生すると、この分圧電圧は、電圧保持回路３００により保持電圧（標準抵抗Ｒａに対応）として保持される。
【０１４９】
このように保持された保持電圧は、ウインドウコンパレータＷにより、両Ｄ−Ａ変換器４００Ａ及び４００Ｂから順次発生する最小照合電圧及び最大照合電圧と比較される。ここで、上記保持電圧（標準抵抗Ｒａに対応）は、標準抵抗Ｒａが標準抵抗最小値Ｒａｍｉｎに対応する電圧と標準最大抵抗値Ｒａｍａｘに対応する電圧との間の範囲以内でばらつく。
【０１５０】
従って、上記保持電圧（標準抵抗Ｒａに対応）が、両Ｄ−Ａ変換器４００Ａ及び４００Ｂから順次発生する最小照合電圧及び最大照合電圧のうち、第１７最小電圧及び第１７最大電圧に対応する第１７最小照合電圧及び第１７最大照合電圧の間に入るまでは、ウインドウコンパレータＷは第１及び第２の比較信号を共にＬレベルにて繰り返し発生する。
【０１５１】
このため、ウインドウコンパレータＷからのＬレベルの第１及び第２の比較信号毎に、上記割り込み制御プログラムの割り込みが図１２のフローチャートに従い開始され、９６０において、当該Ｌレベルの第１及び第２の比較信号が繰り返しセットされ、ステップ９７０においてＹＥＳとの判定が繰り返される。
【０１５２】
然る後、上記保持電圧（標準抵抗Ｒａに対応）が、上述の第１７最小照合電圧及び第１７最大照合電圧の間に入ると、ウインドウコンパレータＷは、Ｈレベルの第１比較信号及びＬレベルの第２比較信号を発生する。これに伴い、上記割り込み制御プログラムの割り込みが開始されると、ステップ９６０において、Ｈレベルの第１比較信号及びＬレベルの第２比較信号がセットされ、ステップ９７０において、ＮＯと判定される。
【０１５３】
ついで、ステップ９８０において、上述のＨレベルの第１比較信号及びＬレベルの第２比較信号に基づきＹＥＳと判定される。すると、ステップ９９０において、先回の第１及び第２の比較信号は共にＬレベルであることから、ＹＥＳと判定される。
【０１５４】
このため、ステップ９９１における最小電圧及び最大電圧のセット処理では、上述したステップ９６０にてセット済みの最新のＨレベルの第１比較信号及びＬレベルの第２比較信号がウインドウコンパレータＷからの発生の根拠となっている第１７最小電圧（抵抗最小値Ｒａｍｉｎ及び第１７最小照合電圧に対応）及び第１７最大電圧（抵抗最大値Ｒａｍａｘ及び第１７最大照合電圧に対応）がセットされる。
【０１５５】
ここで、第１７最小照合電圧及び第１７最大照合電圧は、上述したウインドウコンパレータＷからの最新のＨレベルの第１比較信号及びＬレベルの第２比較信号に対応する電圧保持回路３００からの保持電圧（標準抵抗Ｒａに対応）に対応する。
【０１５６】
そこで、ステップ９９２における発光ダイオードのサーチ処理において、ステップ９９１でセット済みの第１７最小電圧及び第１７最大電圧に基づき、両第１発光ダイオードである両発光ダイオード９０ａ、１００ａが上記目標最小最大電圧−発光ダイオードデータ（図１７参照）からサーチされて決定される。そして、ステップ９９３における発光ダイオードの駆動処理にて、両発光ダイオード９０ａ、１００ａが、発光駆動回路７００ａにより発光駆動されて、各発光部９１ａ、１０１ａから各透明カバー１１０ａ、１１０ｂを通して光を出射する。これにより、遊技球の障害釘５１ａとの衝突が表示される。
【０１５７】
然る後、上記第１実施形態と同様に、３つの遊技球が、それぞれ、各障害釘５１ｂ、５１ｃ、５１ｄ及びその導電膜８０の各近傍部位に同時に接触すると、３つの障害釘５１ｂ、５１ｃ、５１ｄが各対応の遊技球及び導電膜８０を介して共通抵抗２１０に電気的に接続される。
【０１５８】
これに伴い、分圧回路２００は、上述と同様に、３つの単独抵抗２００ｂ、２００ｃ及び２００ｄからなる並列抵抗回路（標準並列合成値Ｒｔ（ｂｃｄ）を有する）及び共通抵抗２１０により、直流電源Ｖの直流電圧を分圧し分圧電圧として導電膜８０及び共通配線８０ａを通して電圧保持回路３００に出力されて保持電圧（標準並列合成値Ｒｔ（ｂｃｄ）に対応）として保持される。
【０１５９】
このように保持された保持電圧は、ウインドウコンパレータＷにより、両Ｄ−Ａ変換器４００Ａ及び４００Ｂから順次発生する最小照合電圧及び最大照合電圧と比較される。ここで、上記保持電圧（標準並列合成値Ｒｔ（ｂｃｄ）に対応）は、標準抵抗最小値Ｒｔ（ｂｃｄ）ｍｉｎに対応する電圧と標準最大抵抗値Ｒｔ（ｂｃｄ）ｍａｘに対応する電圧との間の範囲以内でばらつく。
【０１６０】
従って、上記保持電圧（標準並列合成値Ｒｔ（ｂｃｄ）に対応）が、両Ｄ−Ａ変換器４００Ａ及び４００Ｂから順次発生する最小照合電圧及び最大照合電圧のうち、第１８最小電圧及び第１８最大電圧に対応する第１８最小照合電圧及び第１８最大照合電圧の間に入るまでは、ウインドウコンパレータＷは第１及び第２の比較信号を共にＬレベルにて繰り返し発生する。
【０１６１】
このため、ウインドウコンパレータＷからのＬレベルの第１及び第２の比較信号毎に、上記割り込み制御プログラムの９６０において、当該Ｌレベルの第１及び第２の比較信号が繰り返しセットされ、ステップ９７０においてＹＥＳとの判定が繰り返される。
【０１６２】
然る後、上記保持電圧（標準並列合成値Ｒｔ（ｂｃｄ）に対応）が、上述の第１８最小照合電圧及び第１８最大照合電圧の間に入ると、ウインドウコンパレータＷは、Ｈレベルの第１比較信号及びＬレベルの第２比較信号を発生する。これに伴い、上記割り込み制御プログラムの割り込みのステップ９６０において、Ｈレベルの第１比較信号及びＬレベルの第２比較信号がセットされ、上述と同様にステップ９７０において、ＮＯと判定され、両ステップ９８０、９９０においてＹＥＳと判定される。
【０１６３】
このため、ステップ９９１における最小電圧及び最大電圧のセット処理では、上述したステップ９６０にてセット済みの最新のＨレベルの第１比較信号及びＬレベルの第２比較信号がウインドウコンパレータＷからの発生の根拠となっている第１８最小電圧（抵抗最小値Ｒｔ（ｂｃｄ）ｍｉｎ及び第１８最小照合電圧に対応）及び第１８最大電圧（抵抗最大値Ｒｔ（ｂｃｄ）ｍａｘ及び第１８最大照合電圧に対応）がセットされる。ここで、第１８最小照合電圧及び第１８最大照合電圧は、電圧保持回路３００からの上記保持電圧（標準並列合成値Ｒｔ（ｂｃｄ）に対応）に対応する。
【０１６４】
従って、ステップ９９２における発光ダイオードのサーチ処理において、ステップ９９１でセット済みの第１８最小電圧及び第１８最大電圧に基づき、各両第２〜第４の発光泥オードである各両発光ダイオード９０ｂ、１００ｂ；９０ｃ、１００ｃ；９０ｄ、１００ｄが、目標最小最大電圧−発光ダイオードデータ（図１７参照）からサーチされ手決定される。そして、ステップ９９３における発光ダイオードの駆動処理にて、各両発光ダイオード９０ｂ、１００ｂ；９０ｃ、１００ｃ；９０ｄ、１００ｄが各発光駆動回路７００ｂ、７００ｃ、７００ｄにより発光駆動されて各透明カバー１１０ａ、１１０ｂを通して光を出射する。これにより、上述のように遊技球の障害釘５１ａとの衝突後の３つの遊技球の各障害釘５１ｂ、５１ｃ、５１ｄとの同時衝突が表示される。
【０１６５】
然る後、障害釘５１ｄに衝突した遊技球が、上述と同様に、障害釘５１ｅの頭部側部位及びその導電膜８０の近傍部位に同時に接触すると、当該障害釘５１ｅが対応の遊技球及び導電膜８０を介して共通抵抗２１０に電気的に接続される。
【０１６６】
これにより、分圧回路２００は、障害釘５１ｅに接続してなる単独抵抗２００ｅ及び共通抵抗２１０により、直流電源Ｖの直流電圧を分圧し分圧電圧として導電膜８０及び共通配線８０ａを介し電圧保持回路３００に出力されて保持電圧（標準抵抗値Ｒｅに対応）として保持される。
【０１６７】
然る後、上記保持電圧（標準抵抗Ｒｅに対応）が、第３１最小照合電圧及び第３１最大照合電圧の間に入ると、ウインドウコンパレータＷは、Ｈレベルの第１比較信号及びＬレベルの第２比較信号を発生する。これに伴い、上記割り込み制御プログラムの割り込みが開始されると、ステップ９６０において、Ｈレベルの第１比較信号及びＬレベルの第２比較信号がセットされ、ステップ９７０において、ＮＯと判定される。
【０１６８】
ついで、ステップ９８０において、上述のＨレベルの第１比較信号及びＬレベルの第２比較信号に基づきＹＥＳと判定される。すると、ステップ９９０において、先回の第１及び第２の比較信号は共にＬレベルであることから、ＹＥＳと判定される。
【０１６９】
このため、ステップ９９１における最小電圧及び最大電圧のセット処理では、上述したステップ９６０にてセット済みの最新のＨレベルの第１比較信号及びＬレベルの第２比較信号がウインドウコンパレータＷからの発生の根拠となっている第３１最小電圧（抵抗最小値Ｒｅｍｉｎ及び第３１最小照合電圧に対応）及び第３１最大電圧（抵抗最大値Ｒｅｍａｘ及び第３１最大照合電圧に対応）がセットされる。
【０１７０】
ここで、第３１最小照合電圧及び第３１最大照合電圧は、上述したウインドウコンパレータＷからの最新のＨレベルの第１比較信号及びＬレベルの第２比較信号に対応する電圧保持回路３００からの保持電圧（標準抵抗Ｒｅに対応）に対応する。
【０１７１】
そこで、ステップ９９２における発光ダイオードのサーチ処理において、ステップ９９１でセット済みの第３１最小電圧及び第３１最大電圧に基づき、両第５の発光ダイオードである両発光ダイオード９０ｅ、１００ｅが上記目標最小最大電圧−発光ダイオードデータからサーチされ決定される。そして、ステップ９９３における発光ダイオードの駆動処理にて、両発光ダイオード９０ｅ、１００ｅが、発光駆動回路７００ｅにより発光駆動されて、各透明カバー１１０ａ、１１０ｂを通して光を出射する。これにより、遊技球の障害釘５１ｅとの衝突が表示される。
【０１７２】
以上によれば、本第２実施形態において、分圧回路２００の一連の単独抵抗２００ａ〜２００ｂの各標準抵抗値Ｒａ〜Ｒｅの実際の値が上述のごとく誤差範囲以内でばらつきがあっても、これに影響されることなく、１つ或いは複数の遊技球の１つ或いは複数の障害釘との衝突態様に応じて決まる分圧電圧（保持電圧）の出力、上述した目標抵抗値−最小最大抵抗値データ（図１６参照）に基づく目標抵抗値の決定、上述した目標最小最大電圧−発光ダイオードデータ（図１７参照）に基づく最小電圧及び最大電圧の決定のもとに、ウインドウコンパレータＷの比較出力に基づき、上記衝突態様に対応する１つ或いは複数の障害釘の衝突経路が良好に表示される。その他の作用効果は上記第１実施形態と同様である。
【０１７３】
なお、本発明の実施にあたり、上記各実施形態に限ることなく、次のような種々の変形例が挙げられる。
（１）球衝突経路表示装置Ｕの一連の障害釘の数は、各一連の発光ダイオードの数と共に、適宜変更してもよい。
（２）球衝突経路表示装置Ｕの発光源は、発光ダイオードに限ることなく、ランプ、蛍光放電管等の各種の発光素子であってもよい。
（３）上記各実施形態においてマイクロコンピュータ２２０のＲＯＭに記憶したデータは、当該ＲＯＭに限ることなく、外付けのメモリに記憶してもよい。
（４）球衝突経路表示装置Ｕにおいて、各一連の発光ダイオード９０ａ〜９０ｅ、１００ａ〜１００ｅを廃止するとともに、図柄表示装置６０の上記各一連の発光ダイオードに対応する各一連の表示部位にて、当該各一連の発光ダイオードによる球衝突経路表示と同様に、球衝突経路を表示するように図柄表示装置６０を表示作動させるようにしてもよい。また、この図柄表示装置６０の表示作動に代えて、例えば、図柄表示装置６０の枠に設けた各一連のランプを、球衝突経路を表示するように点灯させてもよい。
（５）球衝突経路表示装置Ｕの支持板７０は、遊技板２０の一部であってもよい。また、導電膜８０は、図柄表示装置６０の枠（絶縁板の表面にメッキを施して形成されている）の各下縁部でもって構成してもよい。この場合、一連の障害釘としは、上記枠の下縁部の近傍に位置する各障害釘を利用すればよい。
（６）本発明の実施にあたり、上記各実施形態とは異なり、各単独抵抗２００ａ〜２００ｅを接地し、共通抵抗２１０を導電膜８０と直流電源Ｖの正側端子との間に接続してもよい。
（７）本発明の実施にあたり、上記各実施形態とは異なり、共通抵抗２１０を介し一連の単独抵抗２００ａ〜２００ｅを接地するとともに、導電膜８０を直流電源Ｖの正側端子に接続するようにしてもよい。
（８）本発明の実施にあたり、上記第１実施形態とは異なり、カウントアップ値Ｎｉの増大に伴い対応の目標抵抗値（図８参照）が順次減少するようにし、これに伴い、目標電圧（図９参照）ひいては照合電圧も順次低下するようにしてもよい。このようなことは、上記第２実施形態でも同様である。
（９）また、本発明の実施にあたり、上記各実施形態にて述べたステップ８００〜ステップ８２０及びステップ８３０の処理は、次のように変更してもよい。即ち、変数値ｎ＝１〜３１と上記一連のカウントアップ値Ｎ１〜Ｎ３１との対応関係を表すカウントアップ値−変数値データを予めマイクロコンピュータ６００のＲＯＭに記憶しておく。当該カウントアップ値−変数値データにおいては、例えば、ｎ＝１がカウントアップ値Ｎ１に対応し、ｎ＝２がカウントアップ値Ｎ２に対応し、ｎ＝３１がカウントアップ値Ｎ３１に対応する。
【０１７４】
そして、ステップ８００にてｎ＝０とクリアし、ステップ８１０にて、ｎ＝ｎ＋１と加算更新し、ステップ８２０に代わる読み出しステップにて、ステップ８１０における更新変数値ｎに基づき上記カウントアップ値−変数値データから対応のカウントアップ値Ｎｉを読み出す。例えば、ｎ＝１であれば、カウントアップ値Ｎ１を読み出す。また、ｎ＝２であれば、カウントアップ値Ｎ２を読み出す。また、ｎ＝３１であれば、カウントアップ値Ｎ３１を読み出す。
【０１７５】
しかして、上記読み出しステップにカウントアップ値Ｎｉを読み出す毎に、このカウントアップ値Ｎｉに基づき、ステップ８２１において、上記抵抗値−カウントアップ値データ（図８参照）から対応の目標抵抗値を決定する。その後、各ステップ８２２、８２３の処理が上記各実施形態と同様になされる。ステップ８３０において、ｎ＝３１になったときＹＥＳと判定される。
【０１７６】
上述のようにカウントアップ値−変数値データを用いてｎの加算更新毎にカウントアップ値を決定することで、上記抵抗値−カウントアップ値データに基づく目標抵抗値の決定が促進される。従って、遊技球の障害釘との衝突、特に複数の遊技球の複数の障害釘との同時衝突が、球衝突経路として、より一層タイミングよく円滑に表示され得る。
【図面の簡単な説明】
【０１７７】
【図１】本発明が適用されるパチンコ遊技機の第１実施形態を、前扉の開状態で示す正面図である。
【図２】上記第１実施形態の遊技機本体の拡大正面図である。
【図３】上記第１実施形態の遊技盤の部分拡大正面図である。
【図４】図３に４−４線に沿う断面図である。
【図５】上記第１実施形態の駆動制御回路の接続構成図である。
【図６】上記第１実施形態のマイクロコンピュータにより実行される主制御プログラムを示すフローチャートである。
【図７】上記第１実施形態のマイクロコンピュータにより実行される割り込み制御プログラムを示すフローチャートである。
【図８】上記第１実施形態におけるカウントアップ値、対応の目標抵抗値及び並列抵抗又は単独抵抗の間の対応関係を示す図表である。
【図９】上記第１実施形態における目標電圧、対応の目標抵抗値及び対応発光ダイオードの間の対応関係を示す図表である。
【図１０】本発明の第２実施形態の要部を示すブロック図である。
【図１１】上記第２実施形態における一連の標準並列合成抵抗値の具体的抵抗値を示す図表である。
【図１２】上記第２実施形態における一連の標準抵抗値に対応する各標準抵抗最小値及び標準抵抗最大値の具体的抵抗値を示す図表である。
【図１３】上記第２実施形態における一連の並列合成抵抗最小値及び一連の並列合成抵抗最大値の各具体的抵抗値を示す図表である。
【図１４】上記第２実施形態におけるマイクロコンピュータにより実行される主制御プログラムを示すフローチャートである。
【図１５】上記第２実施形態におけるマイクロコンピュータにより実行される割り込み制御プログラムを示すフローチャートである。
【図１６】上記第２実施形態における目標抵抗値、対応の並列合成抵抗最小値又は標準抵抗最小値及び対応の並列合成抵抗最大値又は標準抵抗最大値の間の関係を示す図表である。
【図１７】上記第２実施形態における最小電圧、対応抵抗最小値、最大電圧、対応抵抗最大値及び対応発光ダイオードの間の関係を示す図表である。
【符号の説明】
【０１７８】
Ｖ…直流電源、Ｗ…ウインドウコンパレータ、２０…遊技板、５０…障害釘群、
５１ａ〜５１ｅ…障害釘、６０…図柄表示装置、７０…支持板、
８０…単一の導電膜、８０ａ…単一の共通配線、
９０ａ〜９０ｅ、１００ａ〜１００ｅ…発光ダイオード、２００…分圧回路、
２００ａ〜２００ｅ…単独抵抗、２１０…共通抵抗、６００…マイクロコンピュータ、
３００…電圧保持回路、４００、４００Ａ、４００Ｂ…Ｄ−Ａ変換器、
５００…コンパレータ。
【図１】
2009089828.tif 000003
【図２】
2009089828.tif 000004
【図３】
2009089828.tif 000005
【図４】
2009089828.tif 000006
【図５】
2009089828.tif 000007
【図６】
2009089828.tif 000008
【図７】
2009089828.tif 000009
【図８】
2009089828.tif 000010
【図９】
2009089828.tif 000011
【図１０】
2009089828.tif 000012
【図１１】
2009089828.tif 000013
【図１２】
2009089828.tif 000014
【図１３】
2009089828.tif 000015
【図１４】
2009089828.tif 000016
【図１５】
2009089828.tif 000017
【図１６】
2009089828.tif 000018
【図１７】
2009089828.tif 000019